(57)【特許請求の範囲】
【請求項１】
低複雑性の端末デバイスによって実行される情報伝送方法であって、
第１の狭帯域リソース上で情報を受信するように指示するために使用される第１のサブフレーム構成情報を取得するステップであって、前記第１の狭帯域リソースは、前記低複雑性の端末デバイスによってサポートされるまたは処理されることができる周波数リソースを含む、ステップと、
前記第１のサブフレーム構成情報に従って、前記第１の狭帯域リソース上で前記情報を受信するための第１のサブフレームを判定するステップと、
前記第１のサブフレームにおいて、前記第１の狭帯域リソース上でのみ前記情報を受信するステップと、を含み、
前記情報は共通情報を含み、前記情報はユーザ固有情報を含まず、前記共通情報は、ランダムアクセス応答情報又は該ランダムアクセス応答情報をスケジューリングするための制御情報のうちの１つ又は複数を含み、
第１の狭帯域リソース上で情報を受信するように指示するために使用される第１のサブフレーム構成情報を取得する前記ステップは、
無線リソース制御シグナリングを受信することにより、前記第１のサブフレーム構成情報を取得するステップを含む、
方法。
【請求項２】
情報伝送方法であって、
低複雑性の端末デバイスのための基地局によって、第１の狭帯域リソース上で情報を伝送するように指示するために使用される第１のサブフレーム構成情報を判定するステップであって、前記第１の狭帯域リソースは、前記低複雑性の端末デバイスによってサポートされるまたは処理されることができる周波数リソースを含む、ステップと、
前記基地局によって、前記第１のサブフレーム構成情報に従って、前記低複雑性の端末デバイスが前記第１の狭帯域リソース上で前記情報を受信する第１のサブフレームを判定するステップと、
前記基地局によって、前記第１のサブフレームにおける前記第１の狭帯域リソース上で、前記情報を前記低複雑性の端末デバイスに送信するステップと、を含み、
前記情報は共通情報を含み、前記情報はユーザ固有情報を含まず、前記共通情報は、ランダムアクセス応答情報又は該ランダムアクセス応答情報をスケジューリングするための制御情報のうちの１つ又は複数を含み、
当該方法は、
前記基地局によって、無線リソース制御シグナリングによって、前記第１のサブフレーム構成情報を前記低複雑性の端末デバイスに送信するステップをさらに含む、
方法。
【請求項３】
低複雑性の端末デバイスであって、
第１の狭帯域リソース上で情報を受信するように指示するために使用される第１のサブフレーム構成情報を取得するように構成される取得モジュールであって、前記第１の狭帯域リソースは、前記低複雑性の端末デバイスによってサポートされるまたは処理されることができる周波数リソースを含む、取得モジュールと、
前記第１のサブフレーム構成情報に従って、前記第１の狭帯域リソース上で前記情報を受信するための第１のサブフレームを判定するように構成される判定モジュールと、
前記第１の狭帯域リソース上でのみ、前記第１のサブフレームにおいて前記情報を受信するように構成される受信モジュールと、を備えており、
前記情報は共通情報を含み、前記情報はユーザ固有情報を含まず、前記共通情報は、ランダムアクセス応答情報又は該ランダムアクセス応答情報をスケジューリングするための制御情報のうちの１つ又は複数を含み、
前記取得モジュールは、無線リソース制御シグナリングを受信することにより、前記第１のサブフレーム構成情報を取得するように構成される、
端末デバイス。
【請求項４】
基地局であって、
低複雑性のユーザ機器のために、第１の狭帯域リソース上で情報を伝送するように指示するために使用される第１のサブフレーム構成情報を判定するように構成される第１の判定モジュールであって、前記第１の狭帯域リソースは、前記低複雑性のユーザ機器によってサポートされるまたは処理されることができる周波数リソースを含む、第１の判定モジュールと、
前記第１のサブフレーム構成情報に従って、前記低複雑性のユーザ機器が前記第１の狭帯域リソース上で前記情報を受信する第１のサブフレームを判定するように構成される第２の判定モジュールと、
前記第１のサブフレームにおける前記第１の狭帯域リソース上で、前記情報を前記ユーザ機器に送信するように構成される送信モジュールと、を備えており、
前記情報は共通情報を含み、前記情報はユーザ固有情報を含まず、前記共通情報は、ランダムアクセス応答情報又は該ランダムアクセス応答情報をスケジューリングするための制御情報のうちの１つ又は複数を含み、
前記送信モジュールは、無線リソース制御シグナリングを使用して、前記第１のサブフレーム構成情報を前記低複雑性のユーザ機器に送信するようにさらに構成される、
基地局。
【請求項５】
プロセッサ及びメモリを備える低複雑性の端末デバイスであって、前記メモリは実行命令を記憶し、当該端末デバイスが動作するとき、前記プロセッサは、当該端末デバイスが下記のステップ、
第１の狭帯域リソース上で情報を受信するように指示するために使用される第１のサブフレーム構成情報を取得するステップであって、前記第１の狭帯域リソースは、当該低複雑性の端末デバイスによってサポートされるまたは処理されることができる周波数リソースを含む、ステップと、
前記第１のサブフレーム構成情報に従って、前記第１の狭帯域リソース上で前記情報を受信するための第１のサブフレームを判定するステップと、
前記第１の狭帯域リソース上でのみ、前記第１のサブフレームにおいて前記情報を受信するステップと、を実行することを可能にするための前記実行命令を実行し、
前記情報は共通情報を含み、前記情報はユーザ固有情報を含まず、前記共通情報は、ランダムアクセス応答情報又は該ランダムアクセス応答情報をスケジューリングするための制御情報のうちの１つ又は複数を含み、
第１の狭帯域リソース上で情報を受信するように指示するために使用される第１のサブフレーム構成情報を取得する前記ステップが：
無線リソース制御シグナリングを受信することにより、前記第１のサブフレーム構成情報を取得するステップを含む、
端末デバイス。
【請求項６】
プロセッサ及びメモリを備える基地局であって、前記メモリは実行命令を記憶し、当該基地局が動作するとき、前記プロセッサは、当該基地局が下記のステップ、
低複雑性の端末デバイスのために、第１の狭帯域リソース上で情報を伝送するように指示するために使用される第１のサブフレーム構成情報を判定するステップであって、前記第１の狭帯域リソースは、前記低複雑性のユーザ機器によってサポートされるまたは処理されることができる周波数リソースを含む、ステップと、
前記第１のサブフレーム構成情報に従って、前記低複雑性の端末デバイスが前記第１の狭帯域リソース上で前記情報を受信する第１のサブフレームを判定するステップと、
前記第１のサブフレームにおける前記第１の狭帯域リソース上で、前記情報を前記端末デバイスに送信するステップと、を実行することを可能にするための前記実行命令を実行し、
前記情報は共通情報を含み、前記情報はユーザ固有情報を含まず、前記共通情報は、ランダムアクセス応答情報又は該ランダムアクセス応答情報をスケジューリングするための制御情報のうちの１つ又は複数を含み、
前記第１のサブフレームにおける前記第１の狭帯域リソース上で、前記情報を前記狭帯域の端末デバイスに送信するステップは、無線リソース制御シグナリングを使用してである、
基地局。
【請求項７】
コンピュータに請求項１のステップを実行させるプログラム。
【請求項８】
コンピュータに請求項２のステップを実行させるプログラム。
【請求項９】
プログラムを記憶しているコンピュータ可読記憶媒体であって、プログラムがプロセッサによって実行されるとき、請求項１の段階が実行されることを特徴とする、コンピュータ可読記憶媒体。
【請求項１０】
プログラムを記憶しているコンピュータ可読記憶媒体であって、プログラムがプロセッサによって実行されるとき、請求項２の段階が実行されることを特徴とする、コンピュータ可読記憶媒体。
【発明の詳細な説明】
【技術分野】
【０００１】
本発明の実施形態は、通信分野に関し、詳細には、情報伝送方法、ユーザ機器、及び基地局に関する。
【背景技術】
【０００２】
低複雑性又は低コストのユーザ機器については、信号の受信／送信のために用いられ、ユーザ機器によってサポートされ得る帯域幅が、システムで指定される最大キャリア帯域幅、又は特定のキャリア帯域幅よりも小さい。例えば、既存のロングタームエボリューション（ＬＴＥ）通信システムでは、６つのシステム帯域幅、１．４メガヘルツ（ＭＨｚ）、３ＭＨｚ、５ＭＨｚ、１０ＭＨｚ、１５ＭＨｚ、及び２０ＭＨｚが指定されている。しかしながら、低複雑性又は低コストのユーザ機器によってサポートされる帯域幅は、２０ＭＨｚより小さい。例えば、低複雑性又は低コストのユーザ機器によってサポートされ得る信号（無線周波数及び／又はベースバンド）帯域幅は、１．４ＭＨｚ、又はＮ個の（Ｎは正整数、例えば、Ｎ＝６）物理リソースブロック（ＰＲＢ）である。便宜上、低複雑性又は低コストのユーザ機器によってサポートされ得るか、又は処理され得る周波数リソースは、サブバンド（本発明では、サブバンドは、狭帯域であってもよい）と呼ばれ得る。サブバンドは、キャリア上の特定の周波数幅を占有する周波数リソースを指す。サブバンドは、１つ若しくは複数のＰＲＢから構成され得るか、又は１つ若しくは複数のサブキャリアから構成され得る。サブバンドの周波数リソース幅及び周波数リソース位置は、事前定義され、又は事前設定される。
【０００３】
サービスが、低複雑性又は低コストのユーザ機器に提供されるとき、低複雑性又は低コストのユーザ機器は、複数の異なるサブバンドリソース上で情報を受信し得る。例えば、複数のサブバンドリソースが、低複雑性又は低コストのユーザ機器のためにキャリア上に設定される。システム情報は、サブバンドリソース１上で伝送され、ユーザ機器の独自仕様データは、サブバンドリソース２上で伝送される。したがって、ユーザ機器は、サブバンドリソース１及びサブバンドリソース２上で情報を受信する必要があり得る。
【０００４】
同時に、低複雑性又は低コストのユーザ機器は、能力の制限から１つのサブバンドリソース上でしか、情報を受信又は送信することができない。本明細書におけるサブバンドリソースは、複数のサブバンドリソース中の１つのサブバンドリソースであってもよい。情報は、制御情報、及び制御情報を使用してスケジューリングされるデータ情報を含む。制御情報は、共通制御情報及びユニキャスト制御情報に分類され得る。データ情報は、データ情報のスケジューリングを制御するための異なる制御情報に従って、共通データ情報及びユニキャストデータ情報に分類される。制御チャネル上で、共通制御情報を伝送するために占有されるサブバンドリソースが、ユニキャスト制御情報を伝送するために占有されるサブバンドリソースと異なる場合、低複雑性又は低コストのユーザ機器は、共通制御情報及びユニキャスト制御情報を同時に受信することができないが、共通制御情報のみ、又はユニキャスト制御情報のみを受信するように選択することができる。
【０００５】
先行技術では、制御情報を受信する前に、ユーザ機器は、制御チャネル上でブラインド検出を実行する必要がある。ユーザ機器によって制御チャネル上でブラインド検出を実行することの複雑性を低減するために、ユーザ機器固有のユニキャスト制御情報が、第１のサブフレームで伝送され、共通制御情報が、第２のサブフレームで伝送される。第１のサブフレーム及び第２のサブフレームは、時間的に重複しない。共通制御情報及びユーザ固有のユニキャスト制御情報が同一サブフレームで伝送されないため、ユーザ機器は、共通制御情報及びユーザ固有のユニキャスト制御情報を同時に受信する必要はない。
【０００６】
前述した方法は、共通制御情報及びユニキャスト制御情報が同時に伝送されず、ユーザ機器が、共通制御情報及びユーザ固有のユニキャスト制御情報を同時に受信する必要がないことを保証することしかできない。しかしながら、制御情報を使用してスケジューリングされたデータ情報及び制御情報が１つのサブフレームで伝送されないとき、ユーザ固有のユニキャストデータ情報及び共通制御情報が同時に伝送されてもよいか、共通データ情報及びユーザ固有のユニキャスト制御情報が同時に伝送されてもよいか、又は、ユニキャストデータ情報及び共通データ情報が同時に伝送されてもよい。同時伝送が発生するとき、低複雑性又は低コストのユーザ機器が情報を受信することを可能にする方法についての問題は、上述した先行技術では解決されることができない。
【０００７】
さらに、先行技術の方法によれば、全てのユーザ機器固有のユニキャスト制御情報が、共通制御情報が伝送されるのと同一のサブフレームで伝送されることができない。これは、システムリソースの使用を大いに制限する。例えば、カバレッジ拡張シナリオでは、制御情報は、伝送信頼性を拡張するために、複数回繰り返して伝送される必要がある。先行技術の方法によれば、共通制御情報又はユーザ固有のユニキャスト制御情報が、特定のサブフレームセットでのみ伝送され得る。その結果、伝送リソースは十分に使用されることができず、制御情報を伝送するために消費される時間は延長され、ユーザ機器による制御チャネル検出の電力消費は増加する。
【発明の概要】
【０００８】
本発明の実施形態は、情報伝送方法、ユーザ機器、及び基地局を提供し、低複雑性又は低コストのユーザ機器が情報を受信するシナリオに提供可能であり、システムリソースの浪費を回避することができる。
【０００９】
第１の態様によれば、本発明の実施形態は、情報伝送方法であって、
ユーザ機器によって、第１のサブバンドリソース上で情報を受信するように指示するために使用される第１のサブフレーム構成情報を取得するステップと、
前記ユーザ機器によって、前記第１のサブフレーム構成情報に従って、前記第１のサブバンドリソース上で前記情報を受信するための第１のサブフレームを判定するステップと、
前記ユーザ機器によって、前記第１のサブフレームにおける前記第１のサブバンドリソース上でのみ前記情報を受信するステップと、を含む、情報伝送方法を提供する。
【００１０】
第１の態様に関して、第１の態様の第１の考えられる実装方法では、
前記情報は、少なくともユニキャスト情報を含み、前記ユニキャスト情報は、ユニキャスト制御情報、及び／若しくはユニキャストデータ情報を含むか、又は、
前記情報は、少なくとも共通情報を含み、前記共通情報は、共通制御情報、及び／若しくは共通データ情報を含む。
【００１１】
第１の態様に関して、第１の態様の第２の考えられる実装方法では、
前記情報は、ユニキャスト情報を含み、前記情報は、共通情報を含まず、前記ユニキャスト情報は、ユニキャスト制御情報、及び／又はユニキャストデータ情報を含み、前記共通情報は、共通制御情報、及び／又は共通データ情報を含む。
【００１２】
第１の態様に関して、第１の態様の第３の考えられる実装方法では、
前記情報は、共通情報を含み、前記情報は、ユニキャスト情報を含まず、前記共通情報は、共通制御情報、及び／又は共通データ情報を含み、前記ユニキャスト情報は、ユニキャスト制御情報、及び／又はユニキャストデータ情報を含む。
【００１３】
第１の態様、又は第１の態様の第１、第２、若しくは第３の考えられる実装方法に関して、第１の態様の第４の考えられる実装方法では、前記ユーザ機器によって、前記第１のサブフレーム構成情報に従って、前記第１のサブバンドリソース上で前記情報を受信するための第１のサブフレームを判定する前記ステップは、
前記ユーザ機器によって、前記第１のサブフレーム構成情報から第１のサブフレーム構成インデックスを取得するステップと、
前記ユーザ機器によって、事前設定された対応付けに従って、前記第１のサブフレーム構成インデックスに対応する第１のサブフレーム構成を判定するステップと、
前記ユーザ機器によって、前記第１のサブフレーム構成に従って、前記第１のサブバンドリソース上で前記情報を受信するための前記第１のサブフレームを判定するステップと、を含む。
【００１４】
第１の態様、又は第１の態様の第１、第２、第３、若しくは第４の考えられる実装方法に関して、第１の態様の第５の考えられる実装方法では、前記第１のサブフレーム構成情報は、下記のコンテンツ、
前記ユニキャスト情報のためのサブフレーム、前記ユニキャスト情報のための開始サブフレーム、前記ユニキャスト情報のためのサブフレーム期間、前記ユニキャスト情報のための無線フレーム、前記ユニキャスト情報のための無線フレーム番号、前記ユニキャスト情報のための無線フレーム期間、前記ユニキャスト情報によって占有されるサブフレーム量、前記ユニキャスト情報によって占有される無線フレーム量、前記ユニキャスト情報によって占有されるシンボル量、又は前記ユニキャスト情報のための開始シンボルのうちの１つ又は複数を含む。
【００１５】
第１の態様に関して、第１の態様の第６の考えられる実装方法では、ユーザ機器によって、第１のサブバンドリソース上で情報を受信するように指示するために使用される第１のサブフレーム構成情報を取得する前記ステップは、
前記ユーザ機器によって、事前設定に従って前記第１のサブフレーム構成情報を取得するステップか、又は、
前記ユーザ機器によって、無線リソース制御シグナリング、メディアアクセス制御シグナリング、又は物理レイヤシグナリングのうちの１つ又は複数を受信することにより、前記第１のサブフレーム構成情報を取得するステップを含む。
【００１６】
第１の態様、又は第１の態様の第１、第２、若しくは第３の考えられる実装方法に関して、第１の態様の第７の考えられる実装方法では、当該方法は、
前記ユーザ機器によって、第２のサブバンドリソース上で共通情報を受信するように指示するために使用される第２のサブフレーム構成情報を取得するステップと、
前記ユーザ機器によって、前記第２のサブフレーム構成情報に従って、前記第２のサブバンドリソース上で前記共通情報を受信するための第２のサブフレームを判定するステップと、
前記ユーザ機器によって、前記第２のサブフレームにおける前記第２のサブバンドリソース上でのみ前記共通情報を受信するステップと、をさらに含む。
【００１７】
第１の態様の第７の考えられる実装方法に関して、第１の態様の第８の考えられる実装方法では、前記ユーザ機器によって、前記第２のサブフレーム構成情報に従って、前記第２のサブバンドリソース上で前記共通情報を受信するための第２のサブフレームを判定する前記ステップは、
前記ユーザ機器によって、前記第２のサブフレーム構成情報から第２のサブフレーム構成インデックスを取得するステップと、
前記ユーザ機器によって、事前設定された対応付けに従って、前記第２のサブフレーム構成インデックスに対応する第２のサブフレーム構成を判定するステップと、
前記ユーザ機器によって、前記第２のサブフレーム構成に従って、前記第２のサブバンドリソース上で前記共通情報を受信するための前記第２のサブフレームを判定するステップと、を含む。
【００１８】
第１の態様の第７又は第８の考えられる実装方法に関して、第１の態様の第９の考えられる実装方法では、前記第２のサブフレーム構成情報は、下記のコンテンツ、
前記共通情報のためのサブフレーム、前記共通情報のための開始サブフレーム、前記共通情報のためのサブフレーム期間、前記共通情報のための無線フレーム、前記共通情報のための無線フレーム番号、前記共通情報のための無線フレーム期間、前記共通情報によって占有されるサブフレーム量、前記共通情報によって占有される無線フレーム量、前記共通情報によって占有されるシンボル量、又は前記共通情報のための開始シンボルのうちの１つ又は複数を含む。
【００１９】
第１の態様の第１又は第２の考えられる実装方法に関して、第１の態様の第１０の考えられる実装方法では、前記ユーザ機器によって、前記第１のサブフレームにおける前記第１のサブバンドリソース上でのみ前記情報を受信する前記ステップは、
前記ユーザ機器によって、前記第１のサブフレームにおける前記第１のサブバンドリソース上でのみ前記ユニキャスト制御情報を受信するステップを含み、
当該方法は、
前記ユーザ機器によって、前記ユニキャスト制御情報に従って、前記ユニキャスト制御情報を使用してスケジューリングされる前記ユニキャストデータ情報を伝送するためのサブフレームを判定するステップと、
前記ユーザ機器によって、前記ユニキャストデータ情報を伝送するために、判定された前記サブフレーム内の前記ユニキャストデータ情報を受信するステップと、をさらに含む。
【００２０】
第１の態様の第１又は第３の考えられる実装方法に関して、第１の態様の第１１の考えられる実装方法では、前記ユーザ機器によって、前記第１のサブフレームにおける前記第１のサブバンドリソース上でのみ前記情報を受信する前記ステップは、
前記ユーザ機器によって、前記第１のサブフレームにおける前記第１のサブバンドリソース上でのみ前記共通制御情報を受信するステップを含み、
当該方法は、
前記ユーザ機器によって、前記共通制御情報に従って、前記共通制御情報を使用してスケジューリングされる前記共通データ情報を伝送するためのサブフレームを判定するステップと、
前記ユーザ機器によって、前記共通データ情報を伝送するために、判定された前記サブフレーム内の前記共通データ情報を受信するステップと、をさらに含む。
【００２１】
第２の態様によれば、本発明の実施形態は、情報伝送方法であって、
ユーザ機器によって、情報優先度を判定するステップと、
判定された前記情報優先度に従って、前記ユーザ機器によって、第１のサブフレーム内で最も高い優先度を有する第１の情報を受信し、前記第１のサブフレーム内の第２の情報を受信することをスキップするステップであって、前記第２の情報の優先度が、前記第１の情報の優先度よりも低いステップと、を含む、情報伝送方法を提供する。
【００２２】
第２の態様に関して、第２の態様の第１の考えられる実装方法では、ユーザ機器によって、情報優先度を判定する前記ステップは、
前記ユーザ機器によって、情報タイプに従って前記情報優先度を判定するステップ、及び／又は、
前記ユーザ機器によって、情報伝送のために占有されるサブバンドリソースに従って、前記サブバンドリソース上で伝送される情報の優先度を判定するステップを含む。
【００２３】
第３の態様によれば、本発明の実施形態は、情報伝送方法であって、
ユーザ機器のための基地局によって、第１のサブバンドリソース上で情報を伝送するように指示するために使用される第１のサブフレーム構成情報を判定するステップと、
前記基地局によって、前記第１のサブフレーム構成情報に従って、前記ユーザ機器が前記第１のサブバンドリソース上で前記情報を受信する第１のサブフレームを判定するステップと、
前記基地局によって、前記第１のサブフレームにおける前記第１のサブバンドリソース上で、前記情報を前記ユーザ機器に送信するステップと、を含む、情報伝送方法を提供する。
【００２４】
第３の態様に関して、第３の態様の第１の考えられる実装方法では、
前記情報は、少なくともユニキャスト情報を含み、前記ユニキャスト情報は、ユニキャスト制御情報、及び／若しくはユニキャストデータ情報を含むか、又は、
前記情報は、少なくとも共通情報を含み、前記共通情報は、共通制御情報、及び／若しくは共通データ情報を含む。
【００２５】
第３の態様に関して、第３の態様の第２の考えられる実装方法では、
前記情報は、ユニキャスト情報を含み、前記情報は、共通情報を含まず、前記ユニキャスト情報は、ユニキャスト制御情報、及び／又はユニキャストデータ情報を含み、前記共通情報は、共通制御情報、及び／又は共通データ情報を含む。
【００２６】
第３の態様に関して、第３の態様の第３の考えられる実装方法では、
前記情報は、共通情報を含み、前記情報は、ユニキャスト情報を含まず、前記共通情報は、共通制御情報、及び／又は共通データ情報を含み、前記ユニキャスト情報は、ユニキャスト制御情報、及び／又はユニキャストデータ情報を含む。
【００２７】
第３の態様、又は第３の態様の第１、第２、若しくは第３の考えられる実装方法に関して、第３の態様の第４の考えられる実装方法では、ユーザ機器のための基地局によって、第１のサブバンドリソース上で情報を伝送するように指示するために使用される第１のサブフレーム構成情報を判定する前記ステップは、
前記基地局によって、前記ユーザ機器のために前記第１のサブフレームを判定するステップであって、前記第１のサブフレームは、前記ユーザ機器が前記第１のサブバンドリソース上で前記情報を受信するサブフレームである、ステップと、
前記基地局によって、事前設定された対応付けに従って、第１のサブフレーム構成に対応する第１のサブフレーム構成インデックスを判定するステップと、
前記基地局によって、前記第１のサブフレーム構成情報を生成するステップであって、前記第１のサブフレーム構成情報が、前記第１のサブフレーム構成インデックスを含むステップと、を含む。
【００２８】
第３の態様に関して、第３の態様の第５の考えられる実装方法では、当該方法は、
前記基地局によって、無線リソース制御シグナリング、メディアアクセス制御シグナリング、又は物理レイヤシグナリングのうちの１つ又は複数を使用して、前記第１のサブフレーム構成情報を前記ユーザ機器に送信するステップをさらに含む。
【００２９】
第３の態様に関して、第３の態様の第６の考えられる実装方法では、当該方法は、
前記ユーザ機器のための前記基地局によって、第２のサブバンドリソース上で共通情報を伝送するように指示するために使用される第２のサブフレーム構成情報を判定するステップと、
前記基地局によって、前記第２のサブフレーム構成情報に従って、前記ユーザ機器が前記第２のサブバンドリソース上で前記共通情報を受信する第２のサブフレームを判定するステップと、
前記基地局によって、前記第２のサブフレームにおける前記第２のサブバンドリソース上で前記共通情報を前記ユーザ機器に送信するステップと、をさらに含む。
【００３０】
第３の態様に関して、第３の態様の第７の考えられる実装方法では、前記ユーザ機器のための前記基地局によって、前記第２のサブバンドリソース上で前記共通情報を伝送するように指示するために使用される第２のサブフレーム構成情報を判定する前記ステップは、
前記基地局によって、前記ユーザ機器のために前記第２のサブフレームを判定するステップであって、前記第２のサブフレームは、前記ユーザ機器が前記第２のサブバンドリソース上で前記共通情報を受信するサブフレームである、ステップと、
前記基地局によって、事前設定された対応付けに従って、第２のサブフレーム構成に対応する第２のサブフレーム構成インデックスを判定するステップと、
前記基地局によって、前記第２のサブフレーム構成情報を生成するステップであって、前記第２のサブフレーム構成情報が、前記第２のサブフレーム構成インデックスを含むステップと、を含む。
【００３１】
第３の態様に関して、第３の態様の第８の考えられる実装方法では、前記基地局によって、前記第１のサブフレームにおける前記第１のサブバンドリソース上で、前記情報を前記ユーザ機器に送信する前記ステップは、
前記基地局によって、情報優先度を判定するステップと、
判定された前記情報優先度に従って、前記基地局によって、前記第１のサブフレームにおける前記第１のサブバンドリソース上で、最も高い優先度を有する第１の情報を送信して、前記第１のサブフレームにおける前記第１のサブバンドリソース上で第２の情報を送信することをスキップするステップであって、前記第２の情報の優先度が、前記第１の情報の優先度よりも低いステップと、を含む。
【００３２】
第３の態様、又は第３の態様の第１、若しくは第２の考えられる実装方法に関して、第３の態様の第９の考えられる実装方法では、前記情報は、特に、前記ユニキャスト情報であり、前記基地局によって、前記第１のサブフレームにおける前記第１のサブバンドリソース上で、前記情報を前記ユーザ機器に送信する前記ステップは、
前記基地局によって、前記第１のサブフレームにおける前記第１のサブバンドリソース上で、前記ユニキャスト制御情報を前記ユーザ機器に送信するステップと、
前記基地局によって、前記ユニキャストデータ情報を伝送するために使用され、前記ユニキャスト制御情報によって示されるサブフレームにおいて、前記ユニキャストデータ情報を前記ユーザ機器に送信し続けるステップと、を含む。
【００３３】
第４の態様によれば、本発明の実施形態は、情報伝送方法であって、
基地局によって、前記基地局とユーザ機器との間の共通識別子に従って、前記ユーザ機器が第１のサブバンドリソース上で情報を受信する第１のサブフレームを判定するステップと、
前記基地局によって、前記第１のサブフレームにおける前記第１のサブバンドリソース上でのみ、前記情報を前記ユーザ機器に送信するステップと、を含む、情報伝送方法を提供する。
【００３４】
第４の態様に関して、第４の態様の第１の考えられる実装方法では、
前記情報は、ユニキャスト情報を含み、前記情報は、共通情報を含まず、又は、前記情報は、共通情報を含み、前記情報は、ユニキャスト情報を含まず、前記ユニキャスト情報は、ユニキャスト制御情報、及び／又はユニキャストデータ情報を含み、前記共通情報は、共通制御情報、及び／又は共通データ情報を含む。
【００３５】
第４の態様に関して、第４の態様の第２の考えられる実装方法では、当該方法は、
前記基地局によって、前記基地局と前記ユーザ機器との間の前記共通識別子に従って、前記ユーザ機器が第２のサブバンドリソース上で共通情報を受信する第２のサブフレームを判定するステップと、
前記基地局によって、前記第２のサブフレームにおける前記第２のサブバンドリソース上でのみ、前記共通情報を前記ユーザ機器に送信するステップと、をさらに含む。
【００３６】
第４の態様に関して、第４の態様の第３の考えられる実装方法では、
前記基地局によって前記第１のサブフレームにおける前記第１のサブバンドリソース上で前記ユーザ機器に送信される前記情報は、ユニキャスト情報を含み、送信される前記情報は、共通情報を含まないか、又は、
前記基地局によって前記第１のサブフレームにおける前記第１のサブバンドリソース上で前記ユーザ機器に送信される前記情報は、共通情報を含み、送信される前記情報は、ユニキャスト情報を含まない。
【００３７】
第５の態様によれば、本発明の実施形態は、情報伝送方法であって、
ユーザ機器によって、前記ユーザ機器と基地局との間の共通識別子に従って、前記ユーザ機器が第１のサブバンドリソース上で情報を受信する第１のサブフレームを判定するステップと、
前記ユーザ機器によって、前記第１のサブフレームにおける前記第１のサブバンドリソース上でのみ前記情報を受信するステップと、を含む、情報伝送方法を提供する。
【００３８】
第５の態様に関して、第５の態様の第１の考えられる実装方法では、
前記情報は、ユニキャスト情報を含み、前記情報は、共通情報を含まず、又は、前記情報は、共通情報を含み、前記情報は、ユニキャスト情報を含まず、前記ユニキャスト情報は、ユニキャスト制御情報、及び／又はユニキャストデータ情報を含み、前記共通情報は、共通制御情報、及び／又は共通データ情報を含む。
【００３９】
第５の態様に関して、第５の態様の第２の考えられる実装方法では、当該方法は、
前記ユーザ機器によって、前記ユーザ機器と前記基地局との間の前記共通識別子に従って、前記ユーザ機器が第２のサブバンドリソース上で共通情報を受信する第２のサブフレームを判定するステップと、
前記ユーザ機器によって、前記第２のサブフレームにおける前記第２のサブバンドリソース上でのみ前記共通情報を受信するステップと、をさらに含む。
【００４０】
第５の態様に関して、第５の態様の第３の考えられる実装方法では、
前記ユーザ機器によって前記第１のサブフレームにおける前記第１のサブバンドリソース上で受信される前記情報は、ユニキャスト情報を含み、受信される前記情報は、共通情報を含まないか、又は、
前記ユーザ機器によって前記第１のサブフレームにおける前記第１のサブバンドリソース上で受信される前記情報は、共通情報を含み、受信される前記情報は、ユニキャスト情報を含まない。
【００４１】
第６の態様によれば、本発明の実施形態は、ユーザ機器であって、
第１のサブバンドリソース上で情報を受信するように指示するために使用される第１のサブフレーム構成情報を取得するように構成される取得モジュールと、
前記第１のサブフレーム構成情報に従って、前記第１のサブバンドリソース上で前記情報を受信するための第１のサブフレームを判定するように構成される判定モジュールと、
前記第１のサブフレームにおける前記第１のサブバンドリソース上でのみ前記情報を受信するように構成される受信モジュールと、を含む、ユーザ機器を提供する。
【００４２】
第６の態様に関して、第６の態様の第１の考えられる実装方法では、
前記情報は、少なくともユニキャスト情報を含み、前記ユニキャスト情報は、ユニキャスト制御情報、及び／若しくはユニキャストデータ情報を含むか、又は、
前記情報は、少なくとも共通情報を含み、前記共通情報は、共通制御情報、及び／若しくは共通データ情報を含む。
【００４３】
第６の態様に関して、第６の態様の第２の考えられる実装方法では、
前記情報は、ユニキャスト情報を含み、前記情報は、共通情報を含まず、前記ユニキャスト情報は、ユニキャスト制御情報、及び／又はユニキャストデータ情報を含み、前記共通情報は、共通制御情報、及び／又は共通データ情報を含む。
【００４４】
第６の態様に関して、第６の態様の第３の考えられる実装方法では、
前記情報は、共通情報を含み、前記情報は、ユニキャスト情報を含まず、前記共通情報は、共通制御情報、及び／又は共通データ情報を含み、前記ユニキャスト情報は、ユニキャスト制御情報、及び／又はユニキャストデータ情報を含む。
【００４５】
第６の態様、又は第６の態様の第１、第２、若しくは第３の考えられる実装方法に関して、第６の態様の第４の考えられる実装方法では、前記判定モジュールは、
前記第１のサブフレーム構成情報から第１のサブフレーム構成インデックスを取得するように構成される第１の取得サブモジュールと、
事前設定された対応付けに従って、前記第１のサブフレーム構成インデックスに対応する第１のサブフレーム構成を判定するように構成される第１の判定サブモジュールと、
前記第１のサブフレーム構成に従って、前記第１のサブバンドリソース上で前記情報を受信するための前記第１のサブフレームを判定するように構成される第２の判定サブモジュールと、を含む。
【００４６】
第６の態様、又は第６の態様の第１、第２、第３、若しくは第４の考えられる実装方法に関して、第６の態様の第５の考えられる実装方法では、前記第１のサブフレーム構成情報は、下記のコンテンツ、
前記ユニキャスト情報のためのサブフレーム、前記ユニキャスト情報のための開始サブフレーム、前記ユニキャスト情報のためのサブフレーム期間、前記ユニキャスト情報のための無線フレーム、前記ユニキャスト情報のための無線フレーム番号、前記ユニキャスト情報のための無線フレーム期間、前記ユニキャスト情報によって占有されるサブフレーム量、前記ユニキャスト情報によって占有される無線フレーム量、前記ユニキャスト情報によって占有されるシンボル量、又は前記ユニキャスト情報のための開始シンボルのうちの１つ又は複数を含む。
【００４７】
第６の態様に関して、第６の態様の第６の考えられる実装方法では、前記取得モジュールは、特に、事前設定に従って前記第１のサブフレーム構成情報を取得するか、又は、無線リソース制御シグナリング、メディアアクセス制御シグナリング、若しくは物理レイヤシグナリングのうちの１つ若しくは複数を受信することにより、前記第１のサブフレーム構成情報を取得するように構成される。
【００４８】
第６の態様、又は第６の態様の第１、第２、若しくは第３の考えられる実装方法に関して、第６の態様の第７の考えられる実装方法では、
前記取得モジュールは、第２のサブバンドリソース上で共通情報を受信するように指示するために使用される第２のサブフレーム構成情報を取得するようにさらに構成され、
前記判定モジュールは、前記第２のサブフレーム構成情報に従って、前記第２のサブバンドリソース上で前記共通情報を受信するための第２のサブフレームを判定するようにさらに構成され、
前記受信モジュールは、前記第２のサブフレームにおける前記第２のサブバンドリソース上でのみ前記共通情報を受信するようにさらに構成される。
【００４９】
第６の態様の第７の考えられる実装方法に関して、第６の態様の第８の考えられる実装方法では、前記判定モジュールは、
前記第２のサブフレーム構成情報から第２のサブフレーム構成インデックスを取得するように構成される第２の取得サブモジュールと、
事前設定された対応付けに従って、前記第２のサブフレーム構成インデックスに対応する第２のサブフレーム構成を判定するように構成される第３の判定サブモジュールと、
前記第２のサブフレーム構成に従って、前記第２のサブバンドリソース上で前記共通情報を受信するための前記第２のサブフレームを判定するように構成される第４の判定サブモジュールと、を含む。
【００５０】
第６の態様の第７又は第８の考えられる実装方法に関して、第６の態様の第９の考えられる実装方法では、前記第２のサブフレーム構成情報は、下記のコンテンツ、
前記共通情報のためのサブフレーム、前記共通情報のための開始サブフレーム、前記共通情報のためのサブフレーム期間、前記共通情報のための無線フレーム、前記共通情報のための無線フレーム番号、前記共通情報のための無線フレーム期間、前記共通情報によって占有されるサブフレーム量、前記共通情報によって占有される無線フレーム量、前記共通情報によって占有されるシンボル量、又は前記共通情報のための開始シンボルのうちの１つ又は複数を含む。
【００５１】
第６の態様の第１又は第２の考えられる実装方法に関して、第６の態様の第１０の考えられる実装方法では、前記受信モジュールは、特に、前記第１のサブフレームにおける前記第１のサブバンドリソース上でのみ前記ユニキャスト制御情報を受信するように構成され、
前記判定モジュールは、前記ユニキャスト制御情報に従って、前記ユニキャスト制御情報を使用してスケジューリングされる前記ユニキャストデータ情報を伝送するためのサブフレームを判定するようにさらに構成され、
前記受信モジュールは、前記ユニキャストデータ情報を伝送するために、判定された前記サブフレーム内の前記ユニキャストデータ情報を受信するようにさらに構成される。
【００５２】
第６の態様の第１又は第３の考えられる実装方法に関して、第６の態様の第１１の考えられる実装方法では、前記受信モジュールは、特に、前記第１のサブフレームにおける前記第１のサブバンドリソース上でのみ前記共通制御情報を受信するように構成され、
前記判定モジュールは、前記共通制御情報に従って、前記共通制御情報を使用してスケジューリングされる前記共通データ情報を伝送するためのサブフレームを判定するようにさらに構成され、
前記受信モジュールは、前記共通データ情報を伝送するために、判定された前記サブフレーム内の前記共通データ情報を受信するようにさらに構成される。
【００５３】
第７の態様によれば、本発明の実施形態は、ユーザ機器であって、
情報優先度を判定するように構成される判定モジュールと、
判定された前記情報優先度に従って、第１のサブフレーム内で最も高い優先度を有する第１の情報を受信し、前記第１のサブフレーム内の第２の情報を受信することをスキップするように構成される受信モジュールであって、前記第２の情報の優先度が、前記第１の情報の優先度よりも低い、受信モジュールと、を含む、ユーザ機器をさらに提供する。
【００５４】
第７の態様に関して、第７の態様の第１の考えられる実装方法では、前記判定モジュールは、特に、情報タイプに従って前記情報優先度を判定するか、及び／又は、情報伝送のために占有されるサブバンドリソースに従って、前記サブバンドリソース上で伝送される情報の優先度を判定するように構成される。
【００５５】
第８の態様によれば、本発明の実施形態は、基地局であって、
ユーザ機器のために、第１のサブバンドリソース上で情報を伝送するように指示するために使用される第１のサブフレーム構成情報を判定するように構成される第１の判定モジュールと、
前記第１のサブフレーム構成情報に従って、前記ユーザ機器が前記第１のサブバンドリソース上で前記情報を受信する第１のサブフレームを判定するように構成される第２の判定モジュールと、
前記第１のサブフレームにおける前記第１のサブバンドリソース上で、前記情報を前記ユーザ機器に送信するように構成される送信モジュールと、を含む基地局を提供する。
【００５６】
第８の態様に関して、第８の態様の第１の考えられる実装方法では、
前記情報は、少なくともユニキャスト情報を含み、前記ユニキャスト情報は、ユニキャスト制御情報、及び／若しくはユニキャストデータ情報を含むか、又は、
前記情報は、少なくとも共通情報を含み、前記共通情報は、共通制御情報、及び／若しくは共通データ情報を含む。
【００５７】
第８の態様に関して、第８の態様の第２の考えられる実装方法では、
前記情報は、ユニキャスト情報を含み、前記情報は、共通情報を含まず、前記ユニキャスト情報は、ユニキャスト制御情報、及び／又はユニキャストデータ情報を含み、前記共通情報は、共通制御情報、及び／又は共通データ情報を含む。
【００５８】
第８の態様に関して、第８の態様の第３の考えられる実装方法では、
前記情報は、共通情報を含み、前記情報は、ユニキャスト情報を含まず、前記共通情報は、共通制御情報、及び／又は共通データ情報を含み、前記ユニキャスト情報は、ユニキャスト制御情報、及び／又はユニキャストデータ情報を含む。
【００５９】
第８の態様、又は第８の態様の第１、第２、若しくは第３の考えられる実装方法に関して、第８の態様の第４の考えられる実装方法では、前記第１の判定モジュールは、特に、前記ユーザ機器のために前記第１のサブフレームを判定し、ここで、前記第１のサブフレームは、前記ユーザ機器が前記第１のサブバンドリソース上で前記情報を受信するサブフレームであり、事前設定された対応付けに従って、第１のサブフレーム構成に対応する第１のサブフレーム構成インデックスを判定するとともに、前記第１のサブフレーム構成情報を生成し、ここで、前記第１のサブフレーム構成情報が、前記第１のサブフレーム構成インデックスを含む、ように構成される。
【００６０】
第８の態様に関して、第８の態様の第５の考えられる実装方法では、前記送信モジュールは、無線リソース制御シグナリング、メディアアクセス制御シグナリング、又は物理レイヤシグナリングのうちの１つ又は複数を使用して、前記第１のサブフレーム構成情報を前記ユーザ機器に送信するようにさらに構成される。
【００６１】
第８の態様に関して、第８の態様の第６の考えられる実装方法では、前記第１の判定モジュールは、前記ユーザ機器のために、第２のサブバンドリソース上で共通情報を伝送するように指示するために使用される第２のサブフレーム構成情報を判定するようにさらに構成され、
前記第２の判定モジュールは、前記第２のサブフレーム構成情報に従って、前記ユーザ機器が前記第２のサブバンドリソース上で前記共通情報を受信する第２のサブフレームを判定するようにさらに構成され、
前記送信モジュールは、前記第２のサブフレームにおける前記第２のサブバンドリソース上で、前記共通情報を前記ユーザ機器に送信するようにさらに構成される。
【００６２】
第８の態様に関して、第８の態様の第７の考えられる実装方法では、前記第１の判定モジュールは、特に、前記ユーザ機器のために前記第２のサブフレームを判定し、ここで、前記第２のサブフレームは、前記ユーザ機器が前記第２のサブバンドリソース上で前記共通情報を受信するサブフレームであり、事前設定された対応付けに従って、第２のサブフレーム構成に対応する第２のサブフレーム構成インデックスを判定するとともに、前記第２のサブフレーム構成情報を生成し、ここで、前記第２のサブフレーム構成情報が、前記第２のサブフレーム構成インデックスを含む、ように構成される。
【００６３】
第８の態様に関して、第８の態様の第８の考えられる実装方法では、前記送信モジュールは、特に、情報優先度を判定し、判定された前記情報優先度に従って、前記第１のサブフレームにおける前記第１のサブバンドリソース上で、最も高い優先度を有する第１の情報を送信し、前記第１のサブフレームにおける前記第１のサブバンドリソース上で第２の情報を送信することをスキップし、ここで、前記第２の情報の優先度が、前記第１の情報の優先度よりも低い、ように構成される。
【００６４】
第８の態様、又は第８の態様の第１、若しくは第２の考えられる実装方法に関して、第８の態様の第９の考えられる実装方法では、前記情報は、特に、前記ユニキャスト情報であり、前記送信モジュールは、特に、前記第１のサブフレームにおける前記第１のサブバンドリソース上で、前記ユニキャスト制御情報を前記ユーザ機器に送信し、前記ユニキャストデータ情報を伝送するために使用され、前記ユニキャスト制御情報によって示されるサブフレームにおいて、前記ユニキャストデータ情報を前記ユーザ機器に送信し続けるように構成される。
【００６５】
第９の態様によれば、本発明の実施形態は、基地局であって、
当該基地局とユーザ機器との間の共通識別子に従って、前記ユーザ機器が第１のサブバンドリソース上で情報を受信する第１のサブフレームを判定するように構成される判定モジュールと、
前記第１のサブフレームにおける前記第１のサブバンドリソース上でのみ、前記情報を前記ユーザ機器に送信するように構成される送信モジュールと、を含む、基地局を提供する。
【００６６】
第９の態様に関して、第９の態様の第１の考えられる実装方法では、
前記情報は、ユニキャスト情報を含み、前記情報は、共通情報を含まず、又は、前記情報は、共通情報を含み、前記情報は、ユニキャスト情報を含まず、前記ユニキャスト情報は、ユニキャスト制御情報、及び／又はユニキャストデータ情報を含み、前記共通情報は、共通制御情報、及び／又は共通データ情報を含む。
【００６７】
第９の態様に関して、第９の態様の第２の考えられる実装方法では、前記判定モジュールは、前記基地局と前記ユーザ機器との間の前記共通識別子に従って、前記ユーザ機器が第２のサブバンドリソース上で共通情報を受信する第２のサブフレームを判定するようにさらに構成され、
前記送信モジュールは、前記第２のサブフレームにおける前記第２のサブバンドリソース上でのみ、前記共通情報を前記ユーザ機器に送信するようにさらに構成される。
【００６８】
第９の態様に関して、第９の態様の第３の考えられる実装方法では、前記送信モジュールによって前記第１のサブフレームにおける前記第１のサブバンドリソース上で前記ユーザ機器に送信される前記情報は、ユニキャスト情報を含み、送信される前記情報は、共通情報を含まないか、又は、
前記送信モジュールによって前記第１のサブフレームにおける前記第１のサブバンドリソース上で前記ユーザ機器に送信される前記情報は、共通情報を含み、送信される前記情報は、ユニキャスト情報を含まない。
【００６９】
第１０の態様によれば、本発明の実施形態は、ユーザ機器であって、
当該ユーザ機器と基地局との間の共通識別子に従って、当該ユーザ機器が第１のサブバンドリソース上で情報を受信する第１のサブフレームを判定するように構成される判定モジュールと、
前記第１のサブフレームにおける前記第１のサブバンドリソース上でのみ前記情報を受信するように構成される受信モジュールと、を含む、ユーザ機器を提供する。
【００７０】
第１０の態様に関して、第１０の態様の第１の考えられる実装方法では、
前記情報は、ユニキャスト情報を含み、前記情報は、共通情報を含まず、又は、前記情報は、共通情報を含み、前記情報は、ユニキャスト情報を含まず、前記ユニキャスト情報は、ユニキャスト制御情報、及び／又はユニキャストデータ情報を含み、前記共通情報は、共通制御情報、及び／又は共通データ情報を含む。
【００７１】
第１０の態様に関して、第１０の態様の第２の考えられる実装方法では、前記判定モジュールは、当該ユーザ機器と前記基地局との間の前記共通識別子に従って、当該ユーザ機器が第２のサブバンドリソース上で共通情報を受信する第２のサブフレームを判定するようにさらに構成され、
前記受信モジュールは、前記第２のサブフレームにおける前記第２のサブバンドリソース上でのみ前記共通情報を受信するようにさらに構成される。
【００７２】
第１０の態様に関して、第１０の態様の第３の考えられる実装方法では、前記受信モジュールによって前記第１のサブフレームにおける前記第１のサブバンドリソース上で受信される前記情報は、ユニキャスト情報を含み、受信される前記情報は、共通情報を含まないか、又は、
前記受信モジュールによって前記第２のサブフレームにおける前記第２のサブバンドリソース上で受信される前記情報は、共通情報を含み、受信される前記情報は、ユニキャスト情報を含まない。
【００７３】
前述の技術的解決策から、本発明の実施形態は下記の利点を有することが、学習され得る。
【００７４】
本発明の実施形態では、ユーザ機器は、まず、第１のサブバンドリソース上で情報を受信するように指示するために使用される第１のサブフレーム構成情報を取得する。次いで、ユーザ機器は、第１のサブフレーム構成情報に従って、第１のサブバンドリソース上で情報を受信するための第１のサブフレームを判定する。ユーザ機器は、第１のサブフレームにおける第１のサブバンドリソース上でのみ情報を受信する。ユーザ機器は、第１のサブフレーム構成情報に従って、情報を受信するために使用され得る第１のサブフレームを判定してもよく、情報を受信するために必要とされる第１のサブバンドリソースを判定してもよい。ユーザ機器は、第１のサブフレームにおける第１のサブバンドリソース上でのみ情報を受信してもよい。低複雑性又は低コストのユーザ機器が同時に２種類の情報を受信することができないという問題は解決され、基地局は、同一サブフレームにおいて２種類の情報を同時に伝送しないようにする必要はない。したがって、システムリソースの浪費が回避され得る。
【図面の簡単な説明】
【００７５】
【図１】本発明の実施形態による、情報伝送方法の手続きの概略ブロック図である。
【図２】本発明の実施形態による、ユニキャスト情報及び共通情報を伝送する方法の概略図である。
【図３】本発明の実施形態による、別の情報伝送方法の手続きの概略ブロック図である。
【図４】本発明の実施形態による、別の情報伝送方法の手続きの概略ブロック図である。
【図５】本発明の実施形態による、ユニキャスト情報及び共通情報を伝送する別の方法の概略図である。
【図６】本発明の実施形態による、別の情報伝送方法の手続きの概略ブロック図である。
【図７】本発明の実施形態による、別の情報伝送方法の手続きの概略ブロック図である。
【図８】本発明の実施形態による、ユーザ機器の構成構造の概略ブロック図である。
【図９】本発明の実施形態による、基地局の構成構造の概略ブロック図である。
【図１０】本発明の実施形態による、別のユーザ機器の構成構造の概略ブロック図である。
【図１１】本発明の実施形態による、別の基地局の構成構造の概略ブロック図である。
【図１２】本発明の実施形態による、別のユーザ機器の構成構造の概略ブロック図である。
【図１３】本発明の実施形態による、別のユーザ機器の構成構造の概略ブロック図である。
【図１４】本発明の実施形態による、別の基地局の構成構造の概略ブロック図である。
【発明を実施するための形態】
【００７６】
本発明の実施形態は、情報伝送方法、ユーザ機器、及び基地局を提供し、低複雑性又は低コストのユーザ機器が情報を受信するシナリオに提供可能であり、システムリソースの浪費を回避することができる。本発明の実装方法は、通信相手としてユーザ機器及び基地局を使用することにより、本発明において説明されるが、本発明の実装方法は、ユーザ機器とユーザ機器が通信相手として使用される場合にも適用可能である。この場合、ユーザ機器の一方が、基地局として使用されてもよい。
【００７７】
本発明の伝送は、送信することであってもよいか、又は受信することであってもよい。
【００７８】
本発明の発明目的、特徴、及び利点をより明確かつより理解可能にするために、下記は、本発明の実施形態における添付図面を参照して、本発明の実施形態における技術的解決策を明確かつ十分に説明する。下記で説明される実施形態は、本発明の実施形態のうちの全てではなくいくつかだけであることは明らかである。当業者によって本発明の実施形態に基づき得られる全ての他の実施形態は、本発明の保護範囲内にあるものとする。
【００７９】
本発明では、ＵＥが、キャリアのシステム帯域幅を知っており、システム帯域幅上の１つ又は複数のサブバンドリソースを判定してもよい。或いは、ＵＥは、キャリアを知らなくてもよい（又は、キャリアのシステム帯域幅を知らなくてもよい）。この場合、ＵＥは、指示情報に従って、１つ又は複数のサブバンドリソースを判定する。
【００８０】
本発明では、本発明の実施形態における実装方法は、ＵＥが、低複雑性又は低コストのＵＥである例を使用して説明される。
【００８１】
本発明におけるユニキャスト情報は、ユーザ固有又はユーザグループ固有の情報である。ユニキャスト情報は、セル無線ネットワーク一時識別子Ｃ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）を使用してスクランブルされた情報、半永続スケジューリングセル無線ネットワーク一時識別子ＳＰＳ−ＲＮＴＩ（ｓｅｍｉ−ｐｅｒｓｉｓｔ  ｓｃｈｅｄｕｌｉｎｇ  ｃｅｌｌ  ｒａｄｉｏ  ｎｅｔｗｏｒｋ  ｔｅｍｐｏｒａｒｙ  ｉｄｅｎｔｉｆｉｅｒ）を使用してスクランブルされた情報、一時的な無線ネットワーク一時識別子Ｔ−ＲＮＴＩ（ｔｅｍｐｏｒａｒｙ  ｒａｄｉｏ  ｎｅｔｗｏｒｋ  ｔｅｍｐｏｒａｒｙ  ｉｄｅｎｔｉｆｉｅｒ）を使用してスクランブルされた情報、送信電力制御無線ネットワーク一時識別子ＴＰＣ−ＲＮＴＩ（ｔｒａｎｓｍｉｔ  ｐｏｗｅｒ  ｃｏｎｔｒｏｌ  ｒａｄｉｏ  ｎｅｔｗｏｒｋ  ｔｅｍｐｏｒａｒｙ  ｉｄｅｎｔｉｆｉｅｒ）を使用してスクランブルされた情報のうちの１つ又は複数であってもよい。情報タイプについては、ユニキャスト情報は、ユニキャスト制御情報、及び／又はユニキャストデータ情報を含む。
【００８２】
本発明における共通情報は、セル固有又はユーザグループ固有の情報である。情報タイプについては、共通情報は、共通制御情報、及び／又は共通データ情報を含む。概して、共通データ情報は、システム情報、ランダムアクセス応答情報、又はページングメッセージのうちの１つ又は複数を含む。共通制御情報は、システム情報をスケジューリングするための制御情報、ランダムアクセス応答情報をスケジューリングするための制御情報、又はページングメッセージをスケジューリングするための制御情報のうちの１つ又は複数を含む。
【００８３】
本発明におけるシステム情報、及び／又はシステム情報をスケジューリングするための制御情報は、セル内の全ＵＥについて同一の情報であってもよい。例えば、システム情報、及び／又はシステム情報をスケジューリングするための制御情報は、システム情報無線ネットワーク一時識別子ＳＩ−ＲＮＴＩ（ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｆｉｅｒ）を使用してスクランブルされた情報であってもよい。
【００８４】
本発明におけるランダムアクセス応答情報、及び／又はランダムアクセス応答情報をスケジューリングするための制御情報は、ランダムアクセス無線ネットワーク一時識別子ＲＡ−ＲＮＴＩ（ｒａｎｄｏｍ  ａｃｃｅｓｓ  ｒａｄｉｏ  ｎｅｔｗｏｒｋ  ｔｅｍｐｏｒａｒｙ  ｉｄｅｎｔｉｆｉｅｒ）を使用してスクランブルされた情報であってもよい。
【００８５】
本発明におけるページングメッセージ、及び／又はページングメッセージをスケジューリングするための制御情報は、ページング無線ネットワーク一時識別子Ｐ−ＲＮＴＩ（ｐａｇｉｎｇ  ｒａｄｉｏ  ｎｅｔｗｏｒｋ  ｔｅｍｐｏｒａｒｙ  ｉｄｅｎｔｉｆｉｅｒ）を使用してスクランブルされた情報であってもよい。
【００８６】
本発明の明細書、請求項、及び前述の添付図面においては、「第１の」、「第２の」などの用語は、類似のオブジェクトを区別することを意図しており、必ずしも特定の順番又は順序を示すものではない。そのようにして使用される用語は、適切な状況で交換可能であり、それは、同一の属性を有するオブジェクトが本発明の実施形態で説明される際に使用される、単なる区別方法であると理解されたい。さらに、「含む」、「包含する」という用語、及び任意の他の変化形は、非排他的な包含を対象とすることを意味し、それによって、一連のユニットを含むプロセス、方法、システム、製品、又はデバイスは、それらのユニットに必ずしも限定されないが、明確に列挙されていないか、又はそのようなプロセス、方法、システム、製品、又はデバイスに固有の、他のユニットを含んでもよい。
【００８７】
詳細は、下記で個別に説明される。
【００８８】
本発明における情報伝送方法の実施形態は、ユーザ機器に適用されてもよい。図１に示される情報伝送方法を参照すると、方法は、下記のステップを含んでもよい。
【００８９】
１０１．ユーザ機器は、第１のサブバンドリソース上で情報を受信するように指示するために使用される第１のサブフレーム構成情報を取得する。
【００９０】
本発明の本実施形態では、基地局がユーザ機器にサービスするとき、複数のサブバンドリソースが存在してもよく、ユーザ機器は、複数のサブバンドから情報を受信してもよい。例えば、基地局が、低複雑性又は低コストのユーザ機器にキャリア上でサービスするとき、複数のサブバンドリソースが存在してもよい。しかしながら、ユーザ機器が低複雑性又は低コストのユーザ機器であるため、ユーザ機器は、複数のサブバンドから複数の情報を同時に受信することができない。そのような適用シナリオでは、ユーザ機器が第１のサブバンドリソース上で情報を受信するプロセスが、説明用の例として用いられる。第１のサブバンドリソースは、複数のサブバンドリソース中の１つのサブバンドリソースであってもよい。本発明の本実施形態におけるユーザ機器は、まず、第１のサブフレーム構成情報を取得する必要がある。第１のサブフレーム構成情報は、第１のサブバンドリソース上で情報を受信するサブフレーム構成を示すために使用されてもよい。
【００９１】
ステップ１０１でユーザ機器によって受信される情報は、複数の方法で実装されてもよい。下記は、例を用いて説明を提供する。具体的には、本発明で提供される実装シナリオでは、情報は、少なくともユニキャスト情報を含み、その場合、ユニキャスト情報は、ユニキャスト制御情報、及び／又はユニキャストデータ情報を含む。或いは、情報は、少なくとも共通情報を含み、その場合、共通情報は、共通制御情報、及び／又は共通データ情報を含む。即ち、ユーザ機器によって受信される必要がある情報は、ユニキャスト情報であってもよいか、又は共通情報であってもよい。さらに、ユニキャスト情報は、ユニキャスト制御情報、又はユニキャストデータ情報のうちの少なくとも１つを含み、共通情報は、共通制御情報、又は共通データ情報のうちの少なくとも１つを含む。
【００９２】
本発明で提供される別の実装シナリオでは、情報は、ユニキャスト情報を含み、情報は、共通情報を含まない。その場合、ユニキャスト情報は、ユニキャスト制御情報、及び／又はユニキャストデータ情報を含み、共通情報は、共通制御情報、及び／又は共通データ情報を含む。本発明で提供される別の実装シナリオでは、情報は、共通情報を含み、情報は、ユニキャスト情報を含まない。その場合、共通情報は、共通制御情報、及び／又は共通データ情報を含み、ユニキャスト情報は、ユニキャスト制御情報、及び／又はユニキャストデータ情報を含む。即ち、ユーザ機器によって受信される情報は、ユニキャスト情報のみを指してもよいか、又は、共通情報のみを指してもよい。
【００９３】
例えば、共通情報は、システム情報、システム情報ブロック、システム情報をスケジューリングするための制御情報、システム情報ブロックをスケジューリングするための制御情報、ランダムアクセス応答、ランダムアクセス応答をスケジューリングするための制御情報、ページングメッセージ、ページングメッセージをスケジューリングするための制御情報、グループメッセージ、グループメッセージをスケジューリングするための制御情報、マスタ情報ブロック、セル固有ダウンリンク制御チャネル、又はセル固有ダウンリンク制御情報のうちの１つ又は複数を指す。グループメッセージは、メッセージがユーザ機器のグループに関する情報を含むことを意味する。セル固有ダウンリンク制御チャネルは、セル固有の、又はユーザ機器グループ固有の探索空間内のダウンリンク制御チャネルであってもよい。セル固有ダウンリンク制御情報は、セル固有の、又はユーザ機器グループ固有の探索空間内のダウンリンク制御情報であってもよい。ユニキャスト情報は、ユーザ固有情報、ユーザ独自仕様情報、ユーザ専用情報、ユーザ固有情報をスケジューリングするための制御情報、ユーザ独自仕様情報をスケジューリングするための制御情報、ユーザ専用情報をスケジューリングするための制御情報、ユーザ固有ダウンリンク制御チャネル、又はユーザ固有ダウンリンク制御情報のうちの１つ又は複数を指す。
【００９４】
本発明の本実施形態では、第１のサブフレーム構成情報は、下記のコンテンツ、
ユニキャスト情報のためのサブフレーム、ユニキャスト情報のための開始サブフレーム、ユニキャスト情報のためのサブフレーム期間、ユニキャスト情報のための無線フレーム、ユニキャスト情報のための無線フレーム番号、ユニキャスト情報のための無線フレーム期間、ユニキャスト情報によって占有されるサブフレーム量、ユニキャスト情報によって占有される無線フレーム量、ユニキャスト情報によって占有されるシンボル量、又はユニキャスト情報のための開始シンボルのうちの１つ又は複数を含んでもよい。
【００９５】
例えば、ある場合において、第１のサブフレーム構成情報は、ユニキャスト情報のためのサブフレームを含んでもよく、即ち、第１のサブフレーム構成情報は、ユーザ機器がユニキャスト情報を受信し得る１つ又は複数のサブフレームを示す。別の場合において、第１のサブフレーム構成情報は、ユニキャスト情報のための開始サブフレーム、即ち、ユニキャスト情報が伝送され始めるサブフレームを含む。さらに、第１のサブフレーム構成情報は、ユニキャスト情報のための無線フレーム番号を含んでもよく、即ち、１つ又は複数の番号に対応する１つ又は複数の無線フレームを含んでもよい。さらに、第１のサブフレーム構成情報は、前述のコンテンツのうちの、２つ、３つ又はそれ以上を含んでもよい。例えば、第１のサブフレーム構成情報は、ユニキャスト情報のための無線フレーム期間、及びユニキャスト情報によって占有される無線フレーム量を含んでもよい。情報を受信するのに使用されるサブフレームを判定するためにコンテンツが使用され得る限り、コンテンツは、第１のサブフレーム構成情報内に含まれ得る。本明細書では、網羅はされていない。
【００９６】
本発明のいくつかの実施形態では、ステップ１０１における、ユーザ機器によって、第１のサブバンドリソース上で情報を受信するように指示するために使用される第１のサブフレーム構成情報を取得するステップは、
ユーザ機器によって、事前設定に従って第１のサブフレーム構成情報を取得するステップか、又は、
ユーザ機器によって、無線リソース制御シグナリング、メディアアクセス制御シグナリング、若しくは物理レイヤシグナリングのうちの１つ若しくは複数を受信することにより、第１のサブフレーム構成情報を取得するステップを含む。
【００９７】
ユーザ機器は、複数の方法で、ユニキャスト情報を受信するための第１のサブフレーム構成情報を判定してもよい。例えば、ユーザ機器は、事前指定に従って、ユニキャスト情報を受信するための第１のサブフレーム構成情報を判定してもよい。ユニキャスト情報を受信するための第１のサブフレーム構成情報又は第１のサブフレームは、システム内で、又は標準で、事前指定（又は事前設定）される。このような方法で、ユーザ機器は、事前指定（又は事前設定）に従って、ユニキャスト情報のみを受信するための第１のサブフレーム構成情報又は第１のサブフレームを判定してもよい。例えば、（１種類又は複数種類の）共通情報を伝送するために占有されるサブフレーム以外のサブフレームは、ユニキャスト情報を受信するための第１のサブフレームとしてシステム内で事前指定される。任意に、ユーザ機器は、無線リソース制御シグナリング、メディアアクセス制御シグナリング、又は物理レイヤシグナリングを受信することによって、ユニキャスト情報を受信するための第１のサブフレーム構成情報を取得してもよい。無線リソース制御シグナリングは、無線リソース制御共通シグナリング、及び／又は無線リソース制御専用シグナリングであってもよい。無線リソース制御共通シグナリングは、システム情報、システム情報ブロック、又はマスタ情報ブロックのうちの１つ又は複数であってもよい。例えば、ユニキャスト情報を受信するための第１のサブフレーム構成情報は、タイプ１のシステム情報ブロック、又はタイプ２のシステム情報ブロックにおいて搬送される。別の例では、無線リソース制御専用シグナリングは、具体的には、最初のランダムアクセス応答、又はコンテンション解決メッセージのうちの１つ又は複数であってもよい。デフォルトのサブバンドリソース（又はシステム内で事前設定されるサブバンドリソース）上で伝送されるランダムアクセス応答は、最初のランダムアクセス応答と呼ばれる。メディアアクセス制御シグナリングは、メディアアクセス制御制御要素であってもよい。物理レイヤシグナリングは、制御情報を搬送する制御チャネルであってもよい。例えば、制御チャネルは、ランダムアクセス応答をスケジューリングするための制御情報の制御チャネル、又はコンテンション解決メッセージをスケジューリングするための制御情報の制御チャネルである。
【００９８】
１０２．ユーザ機器は、第１のサブフレーム構成情報に従って、第１のサブバンドリソース上で情報を受信するための第１のサブフレームを判定する。
【００９９】
本発明の本実施形態では、ユーザ機器が、第１のサブフレーム構成情報を取得した後、ユーザ機器は、第１のサブフレーム構成情報を使用して、第１のサブバンドリソース上で情報を受信するための第１のサブフレームを判定する。第１のサブフレームは、第１のサブバンド上で情報を受信するために使用されるとともに、ユーザ機器によって判定されるサブフレームである。第１のサブフレーム構成情報を使用してユーザ機器により判定される第１のサブフレームは、ユーザ機器が第１のサブバンド上で情報を受信する時点を示す。
【０１００】
本発明のいくつかの実施形態では、ステップ１０２における、ユーザ機器によって、第１のサブフレーム構成情報に従って、第１のサブバンドリソース上で情報を受信するための第１のサブフレームを判定するステップは、特に、下記のステップ、
ユーザ機器によって、第１のサブフレーム構成情報から第１のサブフレーム構成インデックスを取得するステップと、
ユーザ機器によって、事前設定された対応付けに従って、第１のサブフレーム構成インデックスに対応する第１のサブフレーム構成を判定するステップと、
ユーザ機器によって、第１のサブフレーム構成に従って、第１のサブバンドリソース上で情報を受信するための第１のサブフレームを判定するステップと、を含む。
【０１０１】
具体的には、第１のサブフレーム構成情報は、１つ又は複数のフィールドを含んでもよい。各フィールドは、第１のサブフレーム構成における１つ又は複数のタイプの情報を示す。特に、第１のサブフレーム構成情報は、１つのフィールドだけを含み、そのフィールドは、第１のサブフレーム構成インデックスを示す。任意に、第１のサブフレーム構成インデックスと第１のサブフレーム構成との間に事前定義された対応付け（テーブル関係又は機能関係など）が存在する。第１のサブフレーム構成は、第１のサブフレーム構成インデックスに従って判定され、第１のサブフレームは、第１のサブフレーム構成に従って判定されてもよい。さらに、本発明の本実施形態では、第１のサブフレーム構成情報に従ってユーザ機器により第１のサブフレームを判定する方法は、第１のサブフレーム構成インデックスを使用する方法に限定されず、別の実装手段があってもよいことに留意されたい。例えば、第１のサブフレームは、第１のサブフレーム構成情報において搬送されるコンテンツに従って判定されてもよい。例えば、ユニキャスト情報を受信するための開始サブフレーム、及びユニキャスト情報を受信するために占有されるサブフレーム量に従って、ユーザ機器は、開始サブフレーム及びサブフレーム量を加算することにより、第１のサブフレームを計算してもよい。その場合、開始サブフレーム及びサブフレーム量は、第１のサブフレーム構成情報において搬送される。
【０１０２】
１０３．ユーザ機器は、第１のサブフレームにおいて、第１のサブバンドリソース上でのみ情報を受信する。
【０１０３】
本発明の本実施形態では、情報を受信するための第１のサブフレームをユーザ機器がステップ１０２を実行することにより判定した後、ユーザ機器は、判定された第１のサブフレームにおいて、第１のサブバンドリソース上でのみ情報を受信してもよい。本発明の本実施形態では、第１のサブバンドリソース上でのみ情報を受信することは、第１のサブバンドリソース上で情報を受信すること、及び第１のサブバンド以外の別のサブバンド上で情報を受信しないことを指す。例えば、複数のサブバンドリソースが、システム内で設定されるとき、ユーザ機器は、第１のサブフレームにおいて第１のサブバンドリソース上でのみ情報を受信する。基地局が、第１のサブバンド以外の別のサブバンド上で情報を伝送する場合であっても、ユーザ機器は、第１のサブバンドリソース上にある情報のみをやはり受信する。例えば、前述の例で説明されるように、情報は、ユニキャスト情報を含んでもよく、情報は、共通情報を含まない。この場合、具体的には、ステップ１０３で、ユーザ機器は、第１のサブフレームにおいて、第１のサブバンドリソース上でのみユニキャスト情報を受信する必要がある。
【０１０４】
情報の異なる実装方法によれば、本発明のいくつかの実施形態では、ステップ１０３における、ユーザ機器によって、第１のサブフレームにおいて、第１のサブバンドリソース上でのみ情報を受信するステップは、
ユーザ機器によって、第１のサブフレームにおいて、第１のサブバンドリソース上でのみユニキャスト制御情報を受信するステップを含む。
【０１０５】
本実装シナリオでは、本発明の本実施形態において提供される情報伝送方法は、下記のステップ、
ユーザ機器によって、ユニキャスト制御情報に従って、ユニキャスト制御情報を使用してスケジューリングされるユニキャストデータ情報を伝送するためのサブフレーム及び／又はサブバンドリソースを判定するステップと、
ユーザ機器によって、ユニキャストデータ情報を伝送するために、判定されたサブフレーム及び／又はサブバンドリソース内のユニキャストデータ情報を受信するステップと、をさらに含んでもよい。
【０１０６】
即ち、情報が具体的にはユニキャスト制御情報であるとき、ステップ１０３は、具体的には、下記の通りであってもよい。ユーザ機器は、第１のサブフレームにおける第１のサブバンドリソース上でユニキャスト制御情報を受信してもよい。この場合、ユーザ機器がユニキャスト制御情報を受信した後、ユーザ機器は、ユニキャスト制御情報に従って、ユニキャスト制御情報を使用してスケジューリングされるユニキャストデータ情報を伝送するためのサブフレーム及び／又はサブバンドリソースを判定する。次に、ユーザ機器は、ユニキャストデータ情報を伝送するために、判定されたサブフレーム及び／又はサブバンドリソース内のユニキャストデータ情報を受信してもよい。即ち、ユニキャスト制御情報を受信した後、ユーザ機器は、ユニキャスト制御情報を解析することにより、ユニキャスト制御情報を使用してスケジューリングされるユニキャストデータ情報が伝送される、１つ又は複数のサブフレーム（及び／又はサブバンドリソース）を発見する。ユーザ機器は、ユニキャスト制御情報の指示に従って、ユニキャスト制御情報に関連付けられたユニキャストデータ情報を受信してもよい。ユニキャスト制御情報が、ユニキャスト制御情報を使用してスケジューリングされるユニキャストデータ情報のためのサブバンドリソースをユーザ機器に通知しない場合、ユーザ機器は、デフォルトで、ユニキャストデータ情報を受信するためのサブバンドリソースが、ユニキャスト制御情報を受信するためのサブバンドリソースと同一であると考える。さらに、本発明では、ユーザ機器がサブバンドリソース上で情報を受信することは、サブバンドリソース内のいくつかのリソース又は全てのリソース上で情報を受信することを指す。同様に、基地局がサブバンドリソース上で情報を送信することは、サブバンドリソース内のいくつかのリソース又は全てのリソース上で情報を送信することを指す。
【０１０７】
情報の異なる実装方法によれば、本発明の他のいくつかの実施形態では、ステップ１０３における、ユーザ機器によって、第１のサブフレームにおいて、第１のサブバンドリソース上でのみ情報を受信するステップは、
ユーザ機器によって、第１のサブフレームにおいて、第１のサブバンドリソース上でのみ共通制御情報を受信するステップを含む。
【０１０８】
本実装シナリオでは、本発明の本実施形態において提供される情報伝送方法は、下記のステップ、
ユーザ機器によって、共通制御情報に従って、共通制御情報を使用してスケジューリングされる共通データ情報を伝送するためのサブフレームを判定するステップと、
ユーザ機器によって、共通データ情報を伝送するために、判定されたサブフレーム内の共通データ情報を受信するステップと、をさらに含んでもよい。
【０１０９】
即ち、情報が具体的には共通制御情報であるとき、ステップ１０３は、具体的には、下記の通りであってもよい。ユーザ機器は、第１のサブフレームにおける第１のサブバンドリソース上で共通制御情報を受信してもよい。この場合、ユーザ機器が共通制御情報を受信した後、ユーザ機器は、共通制御情報に従って、共通制御情報を使用してスケジューリングされる共通データ情報を伝送するためのサブフレームを判定する。次に、ユーザ機器は、共通データ情報を伝送するために、判定されたサブフレーム内の共通データ情報を受信してもよい。即ち、共通制御情報を受信した後、ユーザ機器は、共通制御情報を解析することにより、共通制御情報を使用してスケジューリングされる共通データ情報が伝送される、１つ又は複数のサブフレームを発見する。この場合、ユーザ機器は、共通制御情報の指示に従って、共通制御情報に関連付けられた共通データ情報を受信してもよい。共通制御情報が、共通制御情報を使用してスケジューリングされる共通データ情報のためのサブバンドリソースをユーザ機器に通知しない場合、ユーザ機器は、デフォルトで、共通データ情報を受信するためのサブバンドリソースが、共通制御情報を受信するためのサブバンドリソースと同一であると考える。共通制御情報が、共通制御情報を使用してスケジューリングされる共通データ情報のためのサブバンドリソースをユーザ機器に通知する場合、ユーザ機器は、共通データ情報を伝送するために使用されるとともに、共通制御情報によって通知される、サブバンドリソース上で共通データ情報を受信する。
【０１１０】
前述の例で説明したように、本発明のシナリオでは、ユーザ機器固有のユニキャスト制御情報及び共通制御情報が、同一サブフレームにおいて伝送されることが可能となる。本発明によって解決される問題のうちの１つは、ユーザ機器固有のユニキャスト制御情報及び共通制御情報が同一サブフレームにおいて伝送されるときに、ユーザ機器が制御情報をどのように受信するかについての問題である。さらに、本発明は、また、ユニキャストデータ情報及び共通データ情報をどのように受信するかについての問題を解決する。
【０１１１】
下記は、詳細な説明を提供する。本発明の本実施形態では、ユニキャスト情報がユーザ固有ダウンリンク制御チャネル又はユーザ固有ダウンリンク制御情報であるとき、第１のサブフレーム構成情報は、ユーザ固有ダウンリンク制御チャネル又はユーザ固有ダウンリンク制御情報を受信するためのサブフレームを示す。ユーザ機器が、第１のサブフレームにおいてユーザ固有ダウンリンク制御チャネル又はユーザ固有ダウンリンク制御情報を検出するとき、ユーザ固有ダウンリンク制御チャネル又はユーザ固有ダウンリンク制御情報を使用してスケジューリングされるユニキャストデータ情報を伝送するために使用されるサブフレーム（ユニキャストデータ情報を伝送するために使用されるサブフレームの開始サブフレーム、及び／又はユニキャストデータ情報を伝送するために使用されるサブフレーム量）が、判定される。例えば、ユニキャストデータ情報を伝送するために使用される開始サブフレームと、ユニキャストデータ情報をスケジューリングするユーザ固有ダウンリンク制御チャネルのためのサブフレームとの間のタイミング関係が、事前指定又は事前設定される。別の例では、ユニキャストデータ情報を伝送するために使用される開始サブフレームと、ユーザ固有ダウンリンク制御情報のためのサブフレームとの間のタイミング関係が、事前指定又は事前設定される。例えば、ユニキャストデータ情報を伝送するために使用されるサブフレーム量又はユニキャストデータ情報を伝送するために占有される時間が、事前指定される。或いは、ユーザ固有ダウンリンク制御チャネル又はユーザ固有ダウンリンク制御情報は、ユーザ機器に、ユニキャストデータ情報を伝送するために使用されるサブフレーム量又はユニキャストデータ情報を伝送するために占有される時間を通知する。ユーザ機器は、ユニキャストデータ情報を伝送するために使用される、判定されたサブフレームにおいて、ユニキャストデータ情報が位置しているサブバンドリソース上でユニキャストデータ情報を受信する。
【０１１２】
本発明の本実施形態では、共通情報がセル固有ダウンリンク制御チャネル又はセル固有ダウンリンク制御情報であるとき、第１のサブフレーム構成情報は、セル固有ダウンリンク制御チャネル又はセル固有ダウンリンク制御情報を受信するためのサブフレームを示す。ユーザ機器が、第１のサブフレームにおいてセル固有ダウンリンク制御チャネル又はセル固有ダウンリンク制御情報を検出するとき、セル固有ダウンリンク制御チャネル又はセル固有ダウンリンク制御情報を使用してスケジューリングされる共通データ情報を伝送するために使用されるサブフレーム（共通データ情報を伝送するために使用されるサブフレームの開始サブフレーム、及び／又は共通データ情報を伝送するために使用されるサブフレーム量）が、判定される。例えば、共通データ情報を伝送するために使用される開始サブフレームと、共通データ情報をスケジューリングするセル固有ダウンリンク制御チャネルのためのサブフレームとの間のタイミング関係が、事前指定又は事前設定される。例えば、共通データ情報を伝送するために使用される開始サブフレームと、セル固有ダウンリンク制御情報のためのサブフレームとの間のタイミング関係が、事前指定又は事前設定される。例えば、共通データ情報を伝送するために使用されるサブフレーム量又は共通データ情報を伝送するために占有される時間が、事前指定される。或いは、セル固有ダウンリンク制御チャネル又はセル固有ダウンリンク制御情報は、ユーザ機器に、共通データ情報を伝送するために使用されるサブフレーム量又は共通データ情報を伝送するために占有される時間を通知する。ユーザ機器は、共通データ情報を伝送するために使用される、判定されたサブフレームにおいて、共通データ情報が位置しているサブバンドリソース上で共通データ情報を受信する。
【０１１３】
下記は、特定の実施形態を提供する。図２に示すように、図２は、本発明の本実施形態による、ユニキャスト情報及び共通情報を伝送する方法の概略図である。ユニキャスト情報が、ユーザ機器固有の制御チャネルである場合、第１のサブフレーム構成情報は、ユニキャスト情報を伝送するためのサブフレームが、無線フレームｎのうちのサブフレーム０、サブフレーム１、及びサブフレーム２であることを示している。即ち、無線フレームｎのうちのサブフレーム０、サブフレーム１、及びサブフレーム２は、第１のサブフレームである。ユニキャスト情報は、サブバンド２上で伝送される。ユニキャスト制御情報を使用してスケジューリングされるユニキャストデータ情報は、サブバンド２上で伝送されてもよいか、又は別のサブバンド上で伝送されてもよい。
【０１１４】
共通情報が、セル固有制御チャネルである場合、第１のサブフレーム構成情報は、共通情報を伝送するためのサブフレームが、無線フレームｎのうちのサブフレーム７及びサブフレーム８であることを示す。即ち、サブフレーム７及びサブフレーム８は、第１のサブフレームである。共通情報は、サブバンド１上で伝送される。共通制御情報を使用してスケジューリングされる共通データ情報は、サブバンド１上で伝送されてもよいか、又は別のサブバンド上で伝送されてもよい。
【０１１５】
基地局は、サブフレーム０、サブフレーム１、及びサブフレーム２において、ユーザ機器固有の制御チャネルを送信する。基地局は、また、セル固有制御チャネルをサブフレーム０及びサブフレーム１において送信するが、ユーザ機器は、第１のサブフレーム構成情報に従って、サブバンド２のリソース上の情報のみを受信するように判定する。したがって、ユーザ機器は、サブフレーム０、サブフレーム１、及びサブフレーム２におけるサブバンド２のリソース上でユニキャスト情報を受信する。さらに、サブフレーム０、サブフレーム１、及びサブフレーム２におけるユーザ機器固有のユニキャスト制御チャネルを使用してスケジューリングされるユニキャストデータ情報が、無線フレームｎのうちのサブフレーム４及びサブフレーム５において伝送されると仮定される。ユーザ機器がユーザ機器固有の制御チャネルの検出に成功した後、無線フレームｎのうちのサブフレーム４及びサブフレーム５において、ユーザ機器は、第１のデータを伝送するためのサブバンド上でユニキャストデータ情報を受信し、サブバンド１のリソース上で共通データ情報を受信する必要はない。
【０１１６】
基地局は、サブフレーム７及びサブフレーム８において、セル固有制御チャネルを送信する。基地局は、また、サブフレーム８においてユーザ機器固有の制御チャネルを送信するが、ユーザ機器は、第１のサブフレーム構成情報に従って、サブバンド１のリソース上の情報のみを受信するように判定する。したがって、ユーザ機器は、サブフレーム７及びサブフレーム８におけるサブバンド１のリソース上でセル固有制御チャネルを受信する。さらに、サブフレーム７及びサブフレーム８におけるセル固有制御チャネルを使用してスケジューリングされる共通データ情報が、無線フレームｎ＋１のうちのサブフレーム１、サブフレーム２、及びサブフレーム３において伝送されると仮定される。ユーザ機器がセル固有制御チャネルの検出に成功した後、無線フレームｎ＋１のうちのサブフレーム１、サブフレーム２、及びサブフレーム３において、ユーザ機器は、共通データ情報を伝送するためのサブバンド上の共通データ情報のみを受信し、ユニキャストデータ情報を受信する必要はない。
【０１１７】
本発明のいくつかの実施形態では、前述の実装ステップに加えて、本発明の本実施形態で提供される情報伝送方法は、下記のステップをさらに含んでもよい。
【０１１８】
Ａ１．ユーザ機器は、第２のサブバンドリソース上で共通情報を受信するように指示するために使用される第２のサブフレーム構成情報を取得する。
【０１１９】
Ａ２．ユーザ機器は、第２のサブフレーム構成情報に従って、第２のサブバンドリソース上で共通情報を受信するための第２のサブフレームを判定する。
【０１２０】
Ａ３．ユーザ機器は、第２のサブフレームにおいて、第２のサブバンドリソース上でのみ共通情報を受信する。
【０１２１】
即ち、本発明の本実施形態では、ステップ１０１〜ステップ１０３に加えて、ユーザ機器は、ステップＡ１〜Ａ３をさらに実行する。ステップＡ１では、第２のサブフレーム構成情報は、第２のサブバンドリソース上で共通情報を受信するサブフレーム構成を示し、第２のサブバンドリソースは、第１のサブバンドリソースとは周波数において異なるサブバンドリソースである。ユーザ機器が第２のサブフレーム構成情報を取得した後、ユーザ機器は、第２のサブフレーム構成情報に従って第２のサブフレームを判定する。ユーザ機器は、第２のサブフレームにおいて、第２のサブバンドリソース上でのみ共通情報を受信する。
【０１２２】
ステップ１０１〜ステップ１０３、及びステップＡ１〜ステップＡ３の前述の実装方法に関して、下記の例が、説明のために用いられる。ユーザ機器は、第１のサブバンドリソース上で情報を受信するように指示する第１のサブフレーム構成情報を判定し、第２のサブバンドリソース上で共通情報を受信するように指示する第２のサブフレーム構成情報を判定してもよい。第１のサブフレーム構成情報の定義、及び第１のサブフレーム構成情報を判定する方法は、上述されている。第２のサブフレーム構成情報の定義、及び第２のサブフレーム構成情報を判定する方法もまた、上述されている。ユーザ機器は、第１のサブフレーム構成情報に従って、第１のサブバンドリソース上で情報を受信するための第１のサブフレームを判定し、第２のサブフレーム構成情報に従って、第２のサブバンドリソース上で共通情報を受信するための第２のサブフレームを判定する。ユーザ機器は、判定された第１のサブフレームにおける第１のサブバンドリソース上でのみユニキャスト情報を受信し、判定された第２のサブフレームにおいて、第２のサブバンドリソース上でのみ共通情報を受信する。
【０１２３】
本発明のいくつかの実施形態では、第２のサブフレーム構成情報は、下記のコンテンツ、
共通情報のためのサブフレーム、共通情報のための開始サブフレーム、共通情報のためのサブフレーム期間、共通情報のための無線フレーム、共通情報のための無線フレーム番号、共通情報のための無線フレーム期間、共通情報によって占有されるサブフレーム量、共通情報によって占有される無線フレーム量、共通情報によって占有されるシンボル量、又は共通情報のための開始シンボルのうちの１つ又は複数を含む。
【０１２４】
第２のサブフレーム構成情報の実装方法は、第１のサブフレーム構成情報のものと同様である。違いは、第２のサブフレーム構成情報が、共通情報を受信するように指示することにある。
【０１２５】
ステップＡ２における、ユーザ機器によって、第２のサブフレーム構成情報に従って、第２のサブバンドリソース上で共通情報を受信するための第２のサブフレームを判定するステップは、特に、下記のステップ、
ユーザ機器によって、第２のサブフレーム構成情報から第２のサブフレーム構成インデックスを取得するステップと、
ユーザ機器によって、事前設定された対応付けに従って、第２のサブフレーム構成インデックスに対応する第２のサブフレーム構成を判定するステップと、
ユーザ機器によって、第２のサブフレーム構成に従って、第２のサブバンドリソース上で共通情報を受信するための第２のサブフレームを判定するステップと、を含んでもよい。
【０１２６】
具体的には、第２のサブフレーム構成情報は、１つ又は複数のフィールドを含んでもよい。各フィールドは、第２のサブフレーム構成における１つ又は複数のタイプの情報を示す。特に、第２のサブフレーム構成情報は、１つのフィールドだけを含み、そのフィールドは、第２のサブフレーム構成インデックスを示す。任意に、第２のサブフレーム構成インデックスと第２のサブフレーム構成との間に事前定義された対応付け（テーブル関係又は機能関係など）が存在する。第２のサブフレーム構成は、第２のサブフレーム構成インデックスに従って判定され、第２のサブフレームは、第２のサブフレーム構成に従って判定されてもよい。さらに、本発明の本実施形態では、第２のサブフレーム構成情報に従ってユーザ機器により第２のサブフレームを判定する方法は、第２のサブフレーム構成インデックスを使用する方法に限定されず、別の実装手段があってもよいことに留意されたい。例えば、第２のサブフレームは、第２のサブフレーム構成情報において搬送されるコンテンツに従って判定されてもよい。例えば、共通情報を受信するための開始サブフレーム、及び共通情報を受信するために占有されるサブフレーム量に従って、ユーザ機器は、開始サブフレーム及びサブフレーム量を加算することにより、第２のサブフレームを計算してもよい。その場合、開始サブフレーム及びサブフレーム量は、第２のサブフレーム構成情報において搬送される。
【０１２７】
前述の実施形態における本発明の説明から、ユーザ機器は、まず、第１のサブバンドリソース上で情報を受信するように指示するために使用される第１のサブフレーム構成情報を取得するということを学習し得る。次いで、ユーザ機器は、第１のサブフレーム構成情報に従って、第１のサブバンドリソース上で情報を受信するための第１のサブフレームを判定する。ユーザ機器は、第１のサブフレームにおける第１のサブバンドリソース上でのみ情報を受信する。ユーザ機器は、第１のサブフレーム構成情報に従って、情報を受信するために使用され得る第１のサブフレームを判定してもよく、情報を受信するために必要とされる第１のサブバンドリソースを判定してもよい。ユーザ機器は、第１のサブフレームにおける第１のサブバンドリソース上でのみ情報を受信してもよい。低複雑性又は低コストのユーザ機器が同時に２種類の情報を受信することができないという問題は解決され、基地局は、同一サブフレームにおいて２種類の情報を同時に伝送しないようにする必要はない。したがって、システムリソースの浪費が回避され得る。
【０１２８】
前述の実施形態は、本発明の実施形態で提供される情報伝送方法を、ユーザ機器側から説明している。下記は、本発明の実施形態で提供される情報伝送方法を、基地局側から説明する。図３を参照すると、方法は、具体的には、下記のステップを含んでもよい。
【０１２９】
３０１．基地局は、ユーザ機器のために、第１のサブバンドリソース上で情報を伝送するように指示するために使用される第１のサブフレーム構成情報を判定する。
【０１３０】
本発明の本実施形態では、複数のサブバンドリソースは、基地局によって設定されてもよく、ユーザ機器は、複数のサブバンドリソース上で情報を受信してもよい。例えば、複数のサブバンドリソースが、キャリア上に設定される。しかしながら、低複雑性又は低コストのユーザ機器は、複数のサブバンドから複数の情報を同時に受信することができない。そのような適用シナリオでは、基地局が第１のサブバンドリソース上で情報を送信するプロセスが、説明用の例として用いられる。本発明の本実施形態における基地局は、まず、ユーザ機器のために第１のサブフレーム構成情報を判定する。第１のサブフレーム構成情報は、ユーザ機器により第１のサブバンドリソース上で情報を受信するサブフレーム構成を示すために使用されてもよい。
【０１３１】
本発明の本実施形態では、第１のサブフレーム構成情報は、下記のコンテンツ、
ユニキャスト情報のためのサブフレーム、ユニキャスト情報のための開始サブフレーム、ユニキャスト情報のためのサブフレーム期間、ユニキャスト情報のための無線フレーム、ユニキャスト情報のための無線フレーム番号、ユニキャスト情報のための無線フレーム期間、ユニキャスト情報によって占有されるサブフレーム量、ユニキャスト情報によって占有される無線フレーム量、ユニキャスト情報によって占有されるシンボル量、又はユニキャスト情報のための開始シンボルのうちの１つ又は複数を含んでもよい。
【０１３２】
ステップ３０１で、基地局は、複数の実装方法におけるユーザ機器のために、第１のサブバンドリソース上で情報を伝送するように指示するために使用される第１のサブフレーム構成情報を判定してもよい。下記は、例を用いて説明を提供する。具体的には、本発明で提供される実装シナリオでは、情報は、少なくともユニキャスト情報を含み、その場合、ユニキャスト情報は、ユニキャスト制御情報、及び／又はユニキャストデータ情報を含む。或いは、情報は、少なくとも共通情報を含み、その場合、共通情報は、共通制御情報、及び／又は共通データ情報を含む。即ち、ユーザ機器によって受信される必要がある情報は、ユニキャスト情報であってもよいか、又は共通情報であってもよい。さらに、ユニキャスト情報は、ユニキャスト制御情報、又はユニキャストデータ情報のうちの少なくとも１つを含み、共通情報は、共通制御情報、又は共通データ情報のうちの少なくとも１つを含む。
【０１３３】
本発明で提供される別の実装シナリオでは、情報は、ユニキャスト情報を含み、情報は、共通情報を含まない。その場合、ユニキャスト情報は、ユニキャスト制御情報、及び／又はユニキャストデータ情報を含み、共通情報は、共通制御情報、及び／又は共通データ情報を含む。本発明で提供される別の実装シナリオでは、情報は、共通情報を含み、情報は、ユニキャスト情報を含まない。その場合、共通情報は、共通制御情報、及び／又は共通データ情報を含み、ユニキャスト情報は、ユニキャスト制御情報、及び／又はユニキャストデータ情報を含む。即ち、ユーザ機器によって受信される情報は、ユニキャスト情報のみを指してもよいか、又は、共通情報のみを指してもよい。
【０１３４】
本発明のいくつかの実施形態では、ステップ３０１における、ユーザ機器のための基地局によって、第１のサブバンドリソース上で情報を伝送するように指示するために使用される第１のサブフレーム構成情報を判定するステップは、
基地局によって、ユーザ機器のために第１のサブフレームを判定するステップであって、第１のサブフレームは、ユーザ機器が第１のサブバンドリソース上で情報を受信するサブフレームである、ステップと、
基地局によって、事前設定された対応付けに従って、第１のサブフレーム構成に対応する第１のサブフレーム構成インデックスを判定するステップと、
基地局によって、第１のサブフレーム構成情報を生成するステップであって、第１のサブフレーム構成情報が、第１のサブフレーム構成インデックスを含む、ステップと、を含む。
【０１３５】
具体的には、まず、基地局は、第１のサブバンドリソース上で情報を受信するためにユーザ機器に割り当てられる１つ又は複数のサブフレームを判定する。基地局によって判定されるサブフレームは、第１のサブフレームと定義される。次いで、基地局は、対応付けに従って、第１のサブフレーム構成インデックスを判定し、最後に、第１のサブフレーム構成インデックスを、生成された第１のサブフレーム構成情報に追加する。第１のサブフレーム構成情報は、１つ又は複数のフィールドを含んでもよい。各フィールドは、第１のサブフレーム構成における１つ又は複数のタイプの情報を示す。特に、第１のサブフレーム構成情報は、１つのフィールドだけを含み、そのフィールドは、第１のサブフレーム構成インデックスを示す。任意に、第１のサブフレーム構成インデックスと第１のサブフレーム構成との間に事前定義された対応付け（テーブル関係又は機能関係など）が存在する。第１のサブフレーム構成インデックスは、第１のサブフレーム構成に従って判定される。さらに、本発明の本実施形態では、基地局によって、第１のサブフレーム構成インデックスを第１のサブフレーム構成情報に追加して第１のサブフレーム構成情報を生成する方法は、第１のサブフレーム構成インデックスを使用する方法に限定されず、別の実装手段があってもよいことに留意されたい。例えば、第１のサブフレーム構成情報は、判定された第１のサブフレームに従って生成される。例えば、基地局は、ユニキャスト情報をユーザ機器に送信するための開始サブフレーム、及びユニキャスト情報を送信するために占有されるサブフレーム量を判定する。基地局は、ユニキャスト情報を送信するための開始サブフレーム、及びユニキャスト情報を送信するために占有されるサブフレーム量に従って、第１のサブフレームを判定してもよい。基地局は、第１のサブフレーム構成情報に、ユニキャスト情報を送信するための開始サブフレームについての情報、及びユニキャスト情報を送信するために占有されるサブフレーム量についての情報を追加してもよい。
【０１３６】
本発明の本実施形態では、本発明で提供される情報伝送方法は、下記のステップ、
基地局によって、無線リソース制御シグナリング、メディアアクセス制御シグナリング、又は物理レイヤシグナリングのうちの１つ又は複数を使用して、第１のサブフレーム構成情報をユーザ機器に送信するステップをさらに含んでもよい。
【０１３７】
例えば、基地局は、事前指定に従って、ユーザ機器によってユニキャスト情報を受信するための第１のサブフレーム構成情報を判定してもよい。ユーザ機器によってユニキャスト情報を受信するための第１のサブフレーム構成情報又は第１のサブフレームは、システム内で、又は標準で、事前指定（又は事前設定）される。このような方法で、基地局は、事前指定（又は事前設定）に従って、ユーザ機器によってユニキャスト情報を受信するための第１のサブフレーム構成情報又は第１のサブフレームを判定してもよい。例えば、（１つ又は複数種類の）共通情報を伝送するために占有されるサブフレーム以外のサブフレームは、ユーザ機器がユニキャスト情報を受信する第１のサブフレームとしてシステム内で事前指定される。任意に、基地局は、ユーザ機器のために、ユーザ機器によってユニキャスト情報を受信するための第１のサブフレーム構成情報を自律的に判定してもよい。基地局は、無線リソース制御シグナリング、メディアアクセス制御シグナリング、又は物理レイヤシグナリングに、ユーザ機器によってユニキャスト情報を受信するための第１のサブフレーム構成情報を追加する。無線リソース制御シグナリングは、無線リソース制御共通シグナリング、及び／又は無線リソース制御専用シグナリングであってもよい。無線リソース制御共通シグナリングは、システム情報、システム情報ブロック、又はマスタ情報ブロックのうちの１つ又は複数であってもよい。例えば、ユニキャスト情報を受信するための第１のサブフレーム構成情報は、タイプ１のシステム情報ブロック、又はタイプ２のシステム情報ブロックにおいて搬送される。別の例では、無線リソース制御専用シグナリングは、具体的には、最初のランダムアクセス応答、又はコンテンション解決メッセージのうちの１つ又は複数であってもよい。デフォルトのサブバンドリソース（又はシステム内で事前設定されるサブバンドリソース）上で伝送されるランダムアクセス応答は、最初のランダムアクセス応答と呼ばれる。メディアアクセス制御シグナリングは、メディアアクセス制御制御要素であってもよい。物理レイヤシグナリングは、制御情報を搬送する制御チャネルであってもよい。例えば、制御チャネルは、ランダムアクセス応答をスケジューリングするための制御情報の制御チャネル、又はコンテンション解決メッセージをスケジューリングするための制御情報の制御チャネルである。
【０１３８】
３０２．基地局は、第１のサブフレーム構成情報に従って、ユーザ機器が第１のサブバンドリソース上で情報を受信する第１のサブフレームを判定する。
【０１３９】
本発明の本実施形態では、基地局が第１のサブフレーム構成情報を判定した後、基地局は、第１のサブフレーム構成情報を使用して、ユーザ機器が第１のサブバンドリソース上で情報を受信する第１のサブフレームを判定する。第１のサブフレームは、基地局によって、判定された第１のサブフレーム構成情報から判定される。基地局は、第１のサブフレーム構成情報から判定された第１のサブフレームを使用して、基地局が情報を送信する時点を判定する。
【０１４０】
３０３．基地局は、第１のサブフレームにおける第１のサブバンドリソース上で、情報をユーザ機器に送信する。
【０１４１】
本発明の本実施形態では、基地局は、判定された第１のサブフレームにおける第１のサブバンドリソース上で情報を伝送してもよい。本発明の本実施形態では、第１のサブバンドリソース上で情報を伝送することは、第１のサブバンドリソース内のいくつかのリソース又は全てのリソース上で情報を伝送することを指す。例えば、複数のサブバンドリソースがシステム内で設定されているとき、基地局は、第１のサブフレームにおける第１のサブバンドリソース上で情報を伝送するが、基地局は、第１のサブバンド以外の別のサブバンド上で情報を伝送することを妨げられない。
【０１４２】
本発明のいくつかの実施形態では、情報は、具体的には、ユニキャスト情報である。ステップ３０３における、基地局によって、第１のサブフレームにおける第１のサブバンドリソース上で、情報をユーザ機器に送信するステップは、
基地局によって、第１のサブフレームにおける第１のサブバンドリソース上で、ユニキャスト制御情報をユーザ機器に送信するステップと、
基地局によって、ユニキャストデータ情報を伝送するために使用されるとともに、ユニキャスト制御情報によって示されるサブフレームにおいて、ユニキャストデータ情報をユーザ機器に送信するステップと、を含む。
【０１４３】
即ち、情報が具体的にはユニキャスト制御情報であるとき、ステップ３０３は、具体的には、下記の通りであってもよい。基地局は、第１のサブフレームにおける第１のサブバンドリソース上でユニキャスト制御情報を伝送してもよい。この場合、基地局がユニキャスト制御情報をユーザ機器に送信した後、基地局は、ユニキャストデータ情報を送信するために使用されるとともに、ユニキャスト制御情報によって示されるサブフレームにおいて、ユニキャストデータ情報をユーザ機器に送信し続ける。ユーザ機器は、ユニキャスト制御情報に従って、ユニキャスト制御情報を使用してスケジューリングされるユニキャストデータ情報を伝送するためのサブフレームを判定してもよいため、ユーザ機器は、ユニキャストデータ情報を伝送するために、判定されたサブフレーム内のユニキャストデータ情報を受信してもよい。即ち、ユニキャスト制御情報を受信した後、ユーザ機器は、ユニキャスト制御情報を解析することにより、ユニキャスト制御情報を使用してスケジューリングされるユニキャストデータ情報が伝送される、１つ又は複数のサブフレームを発見する。ユーザ機器は、ユニキャスト制御情報の指示に従って、ユニキャスト制御情報に関連付けられたユニキャストデータ情報を受信してもよい。
【０１４４】
本発明のいくつかの他の実施形態では、ステップ３０３における、基地局によって、第１のサブフレームにおける第１のサブバンドリソース上で、情報をユーザ機器に送信するステップは、具体的には、下記のステップ、
基地局によって、情報優先度を判定するステップと、
判定された情報優先度に従って、基地局によって、第１のサブフレームにおける第１のサブバンドリソース上で、最も高い優先度を有する第１の情報を送信して、第１のサブフレームにおける第１のサブバンドリソース上で第２の情報を送信することをスキップするステップであって、第２の情報の優先度が、第１の情報の優先度よりも低い、ステップと、を含んでもよい。
【０１４５】
具体的には、基地局は、まず、情報優先度を判定する。任意に、基地局は、事前指定に従って情報優先度を判定してもよい。基地局は、高い優先度を有する情報を送信する。例えば、事前指定は、プロトコルの取り決めである。任意に、基地局は、情報優先度を自律的に判定する。基地局は、上位レイヤシグナリング、システムブロードキャストメッセージ、又は物理レイヤシグナリングを使用して、ユーザ機器に情報優先度を通知してもよい。
【０１４６】
さらに、基地局は、情報優先度に従って、高い優先度を有する情報が位置しているサブバンドリソース上で、高い優先度を有する情報をユーザ機器に送信するように判定してもよい。基地局は、情報優先度に従って、サブフレームにおいてユニキャスト情報又は共通情報を送信するかどうかを判定してもよい。或いは、基地局は、情報優先度に従って、第１のサブフレームにおいてユニキャスト情報をユーザ機器に送信しないように判定してもよい。或いは、基地局は、情報優先度に従って、第１のサブフレームにおいて共通情報をユーザ機器に送信しないように判定してもよい。
【０１４７】
例えば、第１のサブフレームにおいて、ユーザ機器が、ユニキャスト情報及び共通情報を同時に受信することができないということを考慮すると、基地局は、第１のサブフレームにおいて、情報送信優先度に従って、高い優先度を有する情報を送信するように判定してもよい。例えば、ランダムアクセス応答、又はランダムアクセス応答をスケジューリングするための制御情報を基地局によって送信することの優先度が、第１のサブフレームにおいてユニキャスト情報を基地局によって送信することの優先度よりも高いということが事前指定されている場合、基地局は、ランダムアクセス応答、又はランダムアクセス応答をスケジューリングするための制御情報を送信する。さらに、情報優先度について、ページングメッセージ、又はページングメッセージをスケジューリングするための制御情報を基地局によって送信することの優先度が、ユニキャスト情報を基地局によって送信することの優先度よりも高いということが事前指定されてもよい。したがって、基地局のページングサブフレームにおいて、基地局は、ページングメッセージ、又はページングメッセージをスケジューリングするための制御情報を送信し、ユニキャスト情報を送信しない。別の例では、情報優先度について、システム情報、又はシステム情報をスケジューリングするための制御情報を基地局によって送信することの優先度が、ユニキャスト情報を基地局によって送信することの優先度よりも高いということが事前指定されてもよい。したがって、システム情報を伝送するためのサブフレームにおいて、基地局は、システム情報、又はシステム情報をスケジューリングするための制御情報を送信する。別の例では、繰り返し伝送される情報の優先度は、繰り返すことなく伝送される情報の優先度よりも高いということが事前指定される。別の例では、小さな周波数幅を占有する情報の優先度は、大きな周波数幅を占有する情報の優先度よりも高いということが事前指定される。別の例では、伝送時間間隔バンドリングによって伝送される情報の優先度は、伝送時間間隔バンドリングなしで伝送される情報の優先度よりも高いということが事前指定される。別の例では、大きな伝送時間間隔バンドリングによって伝送される情報の優先度は、小さな伝送時間間隔バンドリングによって伝送される情報の優先度よりも高いということが事前指定される。別の例では、基地局によって最初に送信される情報の優先度は、送信されない情報の優先度よりも高いということが事前指定される。別の例では、基地局は、情報タイプに従って、情報優先度を判定する。別の例では、基地局は、情報伝送のために占有されるサブバンドリソースに従って、サブバンドリソース上で伝送される情報の優先度を判定する。
【０１４８】
下記は、基地局が、ランダムアクセス応答、又はランダムアクセス応答をスケジューリングする制御情報を送信する例を使用して、事前定義された情報優先度に従って、ランダムアクセス応答、又はランダムアクセス応答をスケジューリングするための制御情報を送信する方法を説明する。ランダムアクセスプリアンブルをアップリンクで受信した後、基地局は、ランダムアクセス応答（又はランダムアクセス応答をスケジューリングするための制御情報）を特定の時間（特定の時間は、第１のサブフレームであってもよく、第１のサブフレームは、事前定義によって設定されるか、又はシグナリングを使用して通知される）に送信する必要がある。一方、特定の時間に、基地局は、また、ユニキャスト情報をユーザ機器のためにスケジューリングしてもよい。特定の時間に、事前指定された優先度に従って、基地局は、ランダムアクセス応答が位置しているサブバンドリソース上で、ランダムアクセス応答（又はランダムアクセス応答をスケジューリングするための制御情報）のみを送信する必要があり、ユニキャスト情報は送信しない。
【０１４９】
本発明のいくつかの実施形態では、前述の実装ステップに加えて、本発明の本実施形態で提供される情報伝送方法は、下記のステップをさらに含んでもよい。
【０１５０】
Ｂ１．基地局は、ユーザ機器のために、第２のサブバンドリソース上で共通情報を伝送するように指示するために使用される第２のサブフレーム構成情報を判定する。
【０１５１】
Ｂ２．基地局は、第２のサブフレーム構成情報に従って、ユーザ機器が第２のサブバンドリソース上で共通情報を受信する第２のサブフレームを判定する。
【０１５２】
Ｂ３．基地局は、第２のサブフレームにおける第２のサブバンドリソース上で、共通情報をユーザ機器に送信する。
【０１５３】
即ち、本発明の本実施形態では、ステップ３０１〜ステップ３０３に加えて、基地局は、ステップＢ１〜Ｂ３をさらに実行する。ステップＢ１では、第２のサブフレーム構成情報は、ユーザ機器により第２のサブバンドリソース上で共通情報を受信するサブフレーム構成を示し、第２のサブバンドリソースは、第１のサブバンドリソースとは周波数において異なるサブバンドリソースである。基地局が第２のサブフレーム構成情報を取得した後、基地局は、第２のサブフレーム構成情報に従って第２のサブフレームを判定する。基地局は、第２のサブフレームにおける第２のサブバンドリソース上で、共通情報を送信する。
【０１５４】
ステップ３０１〜ステップ３０３、及びステップＢ１〜ステップＢ３の前述の実装方法に関して、下記の例が、説明のために用いられる。基地局は、第１のサブバンドリソース上で情報を受信するように指示する第１のサブフレーム構成情報を判定してもよく、第２のサブバンドリソース上で共通情報を受信するように指示する第２のサブフレーム構成情報を判定してもよい。第１のサブフレーム構成情報の定義、及び第１のサブフレーム構成情報を判定する方法は、上述されている。第２のサブフレーム構成情報の定義、及び第２のサブフレーム構成情報を判定する方法もまた、上述されている。基地局は、第１のサブフレーム構成情報に従って、第１のサブバンドリソース上で情報を送信するための第１のサブフレームを判定し、第２のサブフレーム構成情報に従って、第２のサブバンドリソース上で共通情報を送信するための第２のサブフレームを判定する。基地局は、判定された第１のサブフレームにおける第１のサブバンドリソース上でユニキャスト情報を送信し、判定された第２のサブフレームにおける第２のサブバンドリソース上で共通情報を送信する。
【０１５５】
具体的には、ステップＢ１における、ユーザ機器のための基地局によって、第２のサブバンドリソース上で共通情報を伝送するように指示するために使用される第２のサブフレーム構成情報を判定するステップは、
基地局によって、ユーザ機器のために第２のサブフレームを判定するステップであって、第２のサブフレームが、ユーザ機器が第２のサブバンドリソース上で共通情報を受信するサブフレームである、ステップと、
基地局によって、事前設定された対応付けに従って、第２のサブフレーム構成に対応する第２のサブフレーム構成インデックスを判定するステップと、
基地局によって、第２のサブフレーム構成情報を生成するステップであって、第２のサブフレーム構成情報が、第２のサブフレーム構成インデックスを含む、ステップと、を含む。
【０１５６】
具体的には、まず、基地局は、ユーザ機器が第２のサブバンドリソース上で情報を受信する、１つ又は複数のサブフレームを判定する。基地局は、判定されたサブフレームを第２のサブフレームとして定義する。次いで、基地局は、対応付けに従って、第２のサブフレーム構成インデックスを判定し、最後に、第２のサブフレーム構成インデックスを、生成された第２のサブフレーム構成情報に追加する。
【０１５７】
本発明のいくつかの実施形態では、第２のサブフレーム構成情報は、下記のコンテンツ、共通情報のためのサブフレーム、共通情報のための開始サブフレーム、共通情報のためのサブフレーム期間、共通情報のための無線フレーム、共通情報のための無線フレーム番号、共通情報のための無線フレーム期間、共通情報によって占有されるサブフレーム量、共通情報によって占有される無線フレーム量、共通情報によって占有されるシンボル量、又は共通情報のための開始シンボルのうちの１つ又は複数を含む。
【０１５８】
第２のサブフレーム構成情報は、１つ又は複数のフィールドを含んでもよい。各フィールドは、第２のサブフレーム構成における１つ又は複数のタイプの情報を示す。特に、第２のサブフレーム構成情報は、１つのフィールドだけを含み、そのフィールドは、第２のサブフレーム構成インデックスを示す。任意に、第２のサブフレーム構成インデックスと第２のサブフレーム構成との間に事前定義された対応付け（テーブル関係又は機能関係など）が存在する。第２のサブフレーム構成インデックスは、第２のサブフレーム構成に従って判定される。さらに、本発明の本実施形態では、基地局によって、第２のサブフレーム構成インデックスを第２のサブフレーム構成情報に追加して第２のサブフレーム構成情報を生成する方法は、第２のサブフレーム構成インデックスを使用する方法に限定されず、別の実装手段があってもよいことに留意されたい。例えば、基地局は、共通情報を送信するための開始サブフレーム、及び共通情報を送信するために占有されるサブフレーム量に従って、第２のサブフレームを判定する。基地局は、第２のサブフレーム構成情報に、共通情報を送信するための開始サブフレームについての情報、及び共通情報を送信するために占有されるサブフレーム量についての情報を追加してもよい。
【０１５９】
前述の実施形態における本発明の説明から、基地局は、まず、ユーザ機器のために、第１のサブバンドリソース上で情報を伝送するように指示するために使用される第１のサブフレーム構成情報を判定するということを学習し得る。次いで、基地局は、第１のサブフレーム構成情報に従って、第１のサブバンドリソース上で情報を送信するための第１のサブフレームを判定する。基地局は、第１のサブフレームにおける第１のサブバンドリソース上でのみ情報を送信する。基地局は、第１のサブフレーム構成情報に従って、情報を送信するために使用され得る第１のサブフレームを判定してもよく、情報を送信するために必要とされる第１のサブバンドリソースを判定してもよい。基地局は、第１のサブフレームにおける第１のサブバンドリソース上でのみ情報を送信してもよい。したがって、低複雑性又は低コストのユーザ機器が、２種類の情報を同時に受信することができないという問題は解決され、システムリソースの浪費は回避される。
【０１６０】
下記は、本発明の実施形態において提供される別の情報送信方法を説明する。図４を参照すると、方法は、主に、下記のステップを含んでもよい。
【０１６１】
４０１．ユーザ機器は、情報優先度を判定する。
【０１６２】
本発明の本実施形態では、複数のサブバンドリソースは、基地局によって設定されてもよく、ユーザ機器は、複数のサブバンドリソース上で情報を受信してもよい。例えば、複数のサブバンドリソースが、キャリア上に設定される。しかしながら、低複雑性又は低コストのユーザ機器は、複数のサブバンドから複数の情報を同時に受信することができない。そのような適用シナリオでは、ユーザ機器が第１のサブフレーム内の情報を受信するプロセスが、説明用の例として用いられる。本発明の本実施形態におけるユーザ機器は、まず、情報優先度を判定する必要がある。情報優先度は、ユーザ機器側で優先的に受信される、異なる情報の順序を指す。
【０１６３】
本発明のいくつかの実施形態では、ユーザ機器によって、情報優先度を判定するステップは、特に、下記のステップ、
ユーザ機器によって、情報タイプに従って情報優先度を判定するステップ、及び／又は、
ユーザ機器によって、情報伝送のために占有されるサブバンドリソースに従って、サブバンドリソース上で伝送される情報の優先度を判定するステップを含んでもよい。
【０１６４】
ユーザ機器は、情報優先度に従って、サブフレームにおいてユニキャスト情報又は共通情報を受信するかどうかを判定してもよい。ユーザ機器は、上位レイヤシグナリング、システムブロードキャストメッセージ、又は物理レイヤシグナリングを使用して、情報優先度を取得してもよい。任意に、ユーザ機器は、事前指定に従って情報優先度を判定し、高い優先度を有する情報を受信してもよい。例えば、事前指定は、プロトコルの取り決めである。即ち、情報優先度は、情報タイプに従って判定されてもよい。例えば、ユニキャスト情報の優先度は、共通情報の優先度よりも高くなるように事前設定されてもよい。或いは、共通情報の優先度は、ユニキャスト情報の優先度よりも高くなるように事前設定されてもよい。さらに、情報優先度は、情報伝送のために占有されるサブバンドリソースに従って判定されてもよい。例えば、２つのサブバンド、サブバンド１及びサブバンド２が、システムにおいて設定される。サブバンド１上で伝送される情報の優先度は、サブバンド２上で伝送される情報の優先度よりも高くなるように事前設定されてもよい。
【０１６５】
４０２．判定された情報優先度に従って、ユーザ機器は、第１のサブフレーム内で最も高い優先度を有する第１の情報を受信し、第１のサブフレーム内の第２の情報を受信することをスキップし、その場合、第２の情報の優先度は、第１の情報の優先度よりも低い。
【０１６６】
本発明の本実施形態では、サブフレームにおいて、基地局は、ユニキャスト情報及び共通情報をユーザ機器のために同時にスケジューリングしてもよいが、ユーザ機器は、ユニキャスト情報及び共通情報がサブフレーム（例えば、第１のサブフレーム）において同時に伝送されるかどうかを判定する必要はない。ユーザ機器は、事前指定された情報優先度に従って、第１のサブフレームにおいてユニキャスト情報又は共通情報を受信するかどうかを判定するだけでよい。情報優先度は、複数の実装方法で設定されてもよい。例えば、ランダムアクセス応答、又はランダムアクセス応答をスケジューリングするための制御情報をユーザ機器によって受信することの優先度は、ユニキャスト情報をユーザ機器によって受信することの優先度よりも高いということが事前指定される。例えば、ページングメッセージ、又はページングメッセージをスケジューリングするための制御情報をユーザ機器によって受信することの優先度は、ユニキャスト情報をユーザ機器によって受信することの優先度よりも高いということが事前指定される。したがって、ユーザ機器のページングサブフレームにおいて、ユーザ機器は、ページングメッセージ、又はページングメッセージをスケジューリングするための制御情報を受信し、ユニキャスト情報を受信しない。別の例では、システム情報、又はシステム情報をスケジューリングするための制御情報をユーザ機器によって受信することの優先度は、ユニキャスト情報をユーザ機器によって受信することの優先度よりも高いということが事前指定される。したがって、システム情報を伝送するためのサブフレームにおいて、ユーザ機器は、システム情報のみ、又はシステム情報をスケジューリングするための制御情報のみを受信する。別の例では、繰り返し伝送される情報の優先度は、繰り返すことなく伝送される情報の優先度よりも高いということが事前指定される。別の例では、小さな周波数幅を占有する情報の優先度は、大きな周波数幅を占有する情報の優先度よりも高いということが事前指定される。別の例では、伝送時間間隔バンドリングによって伝送される情報の優先度は、伝送時間間隔バンドリングなしで伝送される情報の優先度よりも高いということが事前指定される。別の例では、大きな伝送時間間隔バンドリングによって伝送される情報の優先度は、小さな伝送時間間隔バンドリングによって伝送される情報の優先度よりも高いということが事前指定される。別の例では、ユーザ機器によって最初に受信される情報の優先度は、受信されない情報の優先度よりも高いということが事前指定される。
【０１６７】
下記は、ユーザ機器が、ランダムアクセス応答、又はランダムアクセス応答をスケジューリングする制御情報を受信する例を使用して、事前定義された優先度に従って、ランダムアクセス応答、又はランダムアクセス応答をスケジューリングするための制御情報を受信する方法を説明する。ランダムアクセスプリアンブルをアップリンクで送信した後、ユーザ機器は、ランダムアクセス応答（又はランダムアクセス応答をスケジューリングするための制御情報）を特定の時間（特定の時間は、第１のサブフレームであってもよく、第１のサブフレームは、事前定義によって設定されるか、又はシグナリングを使用して通知される）に受信する必要がある。一方、特定の時間に、基地局は、また、ユニキャスト情報をユーザ機器のためにスケジューリングしてもよいが、ユーザ機器は、ユニキャスト情報及びランダムアクセス応答（又はランダムアクセス応答をスケジューリングするための制御情報）が特定の時間に同時に伝送されるかどうかを判定する必要はない。ユーザ機器は、ランダムアクセス応答（又はランダムアクセス応答をスケジューリングするための制御情報）のみを、事前指定された優先度に従って特定の時間に受信するだけでよい。
【０１６８】
下記は、例を用いて、最初に受信される情報の優先度が、受信されない情報の優先度よりも高いということに従って、情報を受信する方法を説明する。図５に示されるように、図５は、本発明の本実施形態による、ユニキャスト情報及び共通情報を伝送する別の方法の概略図である。ユニキャスト情報は、サブフレームｎ〜ｎ＋３９において伝送され、共通情報は、サブフレームｎ＋１、サブフレームｎ＋２０、及びサブフレームｎ＋４０において伝送される。ユーザ機器は、最初に、ユニキャスト情報（即ち、最初に受信される情報）をサブフレームｎにおいて受信するため、ユニキャスト情報の優先度は、共通情報（即ち、受信されない情報）の優先度よりも高い。したがって、サブフレームｎ＋１、サブフレームｎ＋２０、及びサブフレームｎ＋４０において、ユーザ機器は、ユニキャスト情報を受信し、共通情報を受信しない。
【０１６９】
本発明の本実施形態の説明から、情報優先度に従って、第１のサブフレームにおいて、ユーザ機器は、最も高い優先度を有する第１の情報のみを受信し、第１の情報の優先度よりも低い優先度の第２の情報を受信しないということが、学習され得る。したがって、ユーザ機器がユニキャスト情報又は共通情報をどのように受信するかについての問題が、解決される。ユーザ機器ではブラインド検出が回避され、システムリソースのオーバヘッドは減少し、ユーザ機器の電力消費は減少する。
【０１７０】
下記は、本発明の実施形態において提供される別の情報伝送方法を説明する。図６に示されるように、方法は、主に、下記のステップを含んでもよい。
【０１７１】
６０１．基地局は、基地局とユーザ機器との間の共通識別子に従って、ユーザ機器が第１のサブバンドリソース上で情報を受信する第１のサブフレームを判定する。
【０１７２】
本発明の本実施形態では、基地局は、複数のサブバンドリソースを設定してもよく、ユーザ機器は、複数のサブバンドリソース上で情報を受信してもよい。例えば、複数のサブバンドリソースが、キャリア上に設定される。しかしながら、低複雑性又は低コストのユーザ機器は、複数のサブバンドから複数の情報を同時に受信することができない。そのような適用シナリオでは、基地局が第１のサブフレームにおいて情報を送信するプロセスが、説明用の例として用いられる。本発明の本実施形態では、共通識別子は、基地局とユーザ機器との間で事前設定される。基地局は、共通識別子を使用して、ユーザ機器が第１のサブバンドリソース上で情報を受信する第１のサブフレームを判定する。
【０１７３】
本発明の本実施形態では、基地局は、無線ネットワーク一時識別子（Ｒａｄｉｏ  Ｎｅｔｗｏｒｋ  Ｔｅｍｐｏｒａｒｙ  Ｉｄｅｎｔｉｆｉｅｒ，ＲＮＴＩ）を接続状態のユーザ機器に割り当てる。通信プロセスでは、基地局は、ユーザ機器の無線ネットワーク一時識別子を使用して、接続状態のユーザ機器を識別する。ランダムアクセスプリアンブルと無線ネットワーク一時識別子との間に対応付けはないため、ユーザ機器のランダムアクセスプリアンブルを受信した後、基地局は、ランダムアクセスプリアンブルを送信したユーザ機器を判定することができない。したがって、プリアンブルインデックスが、基地局によって送信されるランダムアクセス応答において搬送される。基地局は、ランダムアクセス応答（又はランダムアクセス応答をスケジューリングするための制御情報）を接続状態のユーザ機器に送信するが、実際には、基地局は、ランダムアクセス応答（又はランダムアクセス応答をスケジューリングするための制御情報）が送信される接続状態のユーザ機器を知らない。
【０１７４】
さらに、ページング情報は、モビリティ管理エンティティによって通知されるページングフレーム及びページングサブフレームに基づいて、基地局によってユーザ機器に送信される。ＲＮＴＩとページングフレーム及びページングサブフレームのそれぞれとの間にも、対応付けはない。したがって、基地局は、ページング情報（又はページング情報をスケジューリングするための制御情報）を接続状態のユーザ機器に送信するが、実際には、基地局は、ページング情報（又はページング情報をスケジューリングするための制御情報）が送信される接続状態のユーザ機器を知らない。
【０１７５】
このような方法で、基地局は、ユニキャスト情報及び共通情報を、接続状態のユーザ機器に必然的に同時に送信する。ユーザ機器がユニキャスト情報及び共通情報を同時に受信しないようにするために、基地局がユニキャスト情報及び共通情報を同時に送信しない方法が、本発明の本実施形態において使用されてもよい。下記は、基地局がユニキャスト情報及び共通情報を同時に送信しないことを可能にする方法について説明する。
【０１７６】
本発明の実装方法では、基地局及びユーザ機器は、共通識別子を判定してもよい。基地局は、識別子を使用して、接続状態のユーザ機器を識別し得る。識別子は、ユーザ機器固有の情報であってもよい。ユーザ機器固有の情報は、ユーザ機器識別子情報、又は他のユーザ固有情報であってもよい。例えば、ユーザ機器識別子情報は、国際移動体加入者識別番号（ＩＭＳＩ，Ｉｎｔｅｒｎａｔｉｏｎａｌ  Ｍｏｂｉｌｅ  Ｓｕｂｓｃｒｉｂｅｒ  Ｉｄｅｎｔｉｔｙ）、又は国際移動体装置識別番号（ＩＭＥＩ，Ｉｎｔｅｒｎａｔｉｏｎａｌ  Ｍｏｂｉｌｅ  Ｅｑｕｉｐｍｅｎｔ  Ｉｄｅｎｔｉｔｙ）、又は一時的移動体加入者識別番号（ＴＭＳＩ，Ｔｅｍｐｏｒａｒｙ  Ｍｏｂｉｌｅ  Ｓｕｂｓｃｒｉｂｅｒ  Ｉｄｅｎｔｉｔｙ）、又はＲＮＴＩ、又は別の新たに定義された識別子であってもよい。他のユーザ固有情報は、ユーザ機器によって選択されるプリアンブルシーケンス若しくはプリアンブルシーケンスインデックス、ユーザ機器によって選択されるアクセス時点についての情報、ユーザ機器によって選択されるアクセス周波数についての情報、又はユーザ機器固有の周波数ホッピング情報のうちの１つ又は複数であってもよい。
【０１７７】
６０２．基地局は、第１のサブフレームにおいて、第１のサブバンドリソース上でのみ、情報をユーザ機器に送信する。
【０１７８】
本発明の本実施形態では、基地局は、基地局とユーザ機器との間の共通識別子を使用して、ユーザ機器が第１のサブバンドリソース上で情報を受信する第１のサブフレームを判定してもよく、基地局は、第１のサブフレームにおける第１のサブバンドリソース上でのみ、情報をユーザ機器に送信する。本明細書で述べる情報は、前述の実施形態において例として述べる情報、又はそれらの組み合わせであってもよい。具体的には、情報は、ユニキャスト情報を含み、情報は、共通情報を含まないか、又は、情報は、共通情報を含み、情報は、ユニキャスト情報を含まない。その場合、ユニキャスト情報は、ユニキャスト制御情報、及び／又はユニキャストデータ情報を含み、共通情報は、共通制御情報、及び／又は共通データ情報を含む。
【０１７９】
例えば、基地局は、基地局とユーザ機器との間の共通識別子に従って、識別子によって識別されるユーザ機器がランダムアクセス応答（又はランダムアクセス応答をスケジューリングするための制御情報）を受信する第１のサブフレームを判定してもよく、基地局は、ユーザ機器がランダムアクセス応答（又はランダムアクセス応答をスケジューリングするための制御情報）を受信する時点に、ユニキャスト情報をユーザ機器に送信しない。したがって、システムリソースが節約され、基地局の電力消費が削減される。基地局は、識別子に従って、識別子によって識別されるユーザ機器がページング情報（又はページング情報をスケジューリングするための制御情報）を受信する時点を判定してもよく、基地局は、ユーザ機器がページング情報（又はページング情報をスケジューリングするための制御情報）を受信する時点に、ユニキャスト情報をユーザ機器に送信しない。したがって、システムリソースが節約され、基地局の電力消費が削減される。基地局は、識別子に従って、識別子によって識別されるユーザ機器がシステム情報（又はシステム情報をスケジューリングするための制御情報）を受信する時点を判定してもよく、基地局は、ユーザ機器がシステム情報（又はシステム情報をスケジューリングするための制御情報）を受信する時点に、ユニキャスト情報をユーザ機器に送信しない。したがって、システムリソースが節約され、基地局の電力消費が削減される。
【０１８０】
本発明のいくつかの実施形態では、ステップ６０１及びステップ６０２に加えて、本発明の本実施形態で提供される情報伝送方法は、下記のステップ、
基地局によって、基地局とユーザ機器との間の共通識別子に従って、ユーザ機器が第２のサブバンドリソース上で共通情報を受信する第２のサブフレームを判定するステップと、
基地局によって、第２のサブフレームにおいて、第２のサブバンドリソース上でのみ、共通情報をユーザ機器に送信するステップと、をさらに含んでもよい。
【０１８１】
例えば、第１のサブバンドリソースに加えて、第２のサブバンドリソースがキャリア帯域幅にさらに含まれるとき、基地局は、基地局とユーザ機器との間の共通識別子に従って、ユーザ機器が第２のサブバンドリソース上で共通情報を受信する第２のサブフレームを判定する。基地局は、第２のサブフレームにおいて、第２のサブバンドリソース上でのみ、共通情報をユーザ機器に送信する。
【０１８２】
本発明のいくつかの実施形態では、
基地局によって第１のサブフレームにおける第１のサブバンドリソース上でユーザ機器に送信される情報は、ユニキャスト情報を含み、送信される情報は、共通情報を含まないか、又は、
基地局によって第１のサブフレームにおける第１のサブバンドリソース上でユーザ機器に送信される情報は、共通情報を含み、送信される情報は、ユニキャスト情報を含まないことをさらに含んでもよい。
【０１８３】
前述の実施形態における本発明の説明から、共通識別子は、基地局とユーザ機器との間で事前設定されると学習され得る。基地局は、接続状態のユーザ機器を識別してもよい。基地局は、ユーザ機器のために、共通識別子を使用して、ユーザ機器が情報を受信する第１のサブフレームを判定する。次いで、基地局は、第１のサブフレームにおいて、第１のサブバンドリソース上でのみ、情報をユーザ機器に送信する。したがって、基地局が共通情報及びユニキャスト情報を同時に送信するという問題が回避され得るとともに、システムリソースの浪費が回避され得る。
【０１８４】
基地局側で実装され、図６に示される情報伝送方法に対応して、下記は、ユーザ機器側から、本発明の実施形態で提供される情報伝送方法を説明する。図７に示されるように、方法は、主に、下記のステップを含んでもよい。
【０１８５】
７０１．ユーザ機器は、ユーザ機器と基地局との間の共通識別子に従って、ユーザ機器が第１のサブバンドリソース上で情報を受信する第１のサブフレームを判定する。
【０１８６】
本発明の実装方法では、基地局及びユーザ機器は、共通識別子を判定してもよい。ユーザ機器は、基地局とユーザ機器との間の共通識別子を使用して、ユーザ機器が第１のサブフレームにおいて情報を受信し得ることを判定する。基地局は、識別子を使用して、接続状態のユーザ機器を識別することができる。識別子は、ユーザ機器固有の情報であってもよい。ユーザ機器固有の情報は、ユーザ機器識別子情報、又は他のユーザ固有情報であってもよい。例えば、ユーザ機器識別子情報は、ＩＭＳＩ、又はＩＭＥＩ、又はＴＭＳＩ、又はＲＮＴＩ、又は別の新たに定義された識別子であってもよい。他のユーザ固有情報は、ユーザ機器によって選択されるプリアンブルシーケンス若しくはプリアンブルシーケンスインデックス、ユーザ機器によって選択されるアクセス時点についての情報、ユーザ機器によって選択されるアクセス周波数についての情報、又はユーザ機器固有の周波数ホッピング情報のうちの１つ又は複数であってもよい。
【０１８７】
７０２．ユーザ機器は、第１のサブフレームにおいて、第１のサブバンドリソース上でのみ情報を受信する。
【０１８８】
本発明の本実施形態では、ユーザ機器が第１のサブフレームを判定した後、ユーザ機器は、第１のサブフレームにおいて、第１のサブバンドリソース上でのみ情報を受信し、第１のサブバンドリソース以外の別のサブバンドリソース上で、情報を受信しない。
【０１８９】
本発明の本実施形態では、ユーザ機器は、基地局とユーザ機器との間の共通識別子を使用して、ユーザ機器が第１のサブバンドリソース上で情報を受信する第１のサブフレームを判定してもよく、ユーザ機器は、第１のサブフレームにおいて、第１のサブバンドリソース上でのみ情報を受信する。本明細書で述べる情報は、前述の実施形態において例として述べる情報、又はそれらの組み合わせであってもよい。具体的には、情報は、ユニキャスト情報を含み、情報は、共通情報を含まないか、又は、情報は、共通情報を含み、情報は、ユニキャスト情報を含まない。その場合、ユニキャスト情報は、ユニキャスト制御情報、及び／又はユニキャストデータ情報を含み、共通情報は、共通制御情報、及び／又は共通データ情報を含む。
【０１９０】
本発明のいくつかの実施形態では、ステップ７０１及びステップ７０２に加えて、本発明の本実施形態で提供される情報伝送方法は、下記のステップ、
ユーザ機器によって、ユーザ機器と基地局との間の共通識別子に従って、ユーザ機器が第２のサブバンドリソース上で共通情報を受信する第２のサブフレームを判定するステップと、
ユーザ機器によって、第２のサブフレームにおいて、第２のサブバンドリソース上でのみ共通情報を受信するステップと、をさらに含んでもよい。
【０１９１】
第１のサブバンドリソースに加えて、第２のサブバンドリソースがキャリア帯域幅にさらに含まれるとき、ユーザ機器は、基地局とユーザ機器との間の共通識別子に従って、ユーザ機器が第２のサブバンドリソース上で共通情報を受信する第２のサブフレームを判定する。ユーザ機器は、第２のサブフレームにおいて、第２のサブバンドリソース上でのみ共通情報を受信する。
【０１９２】
本発明のいくつかの実施形態では、ステップ７０２における、ユーザ機器によって、第１のサブフレームにおいて、第１のサブバンドリソース上でのみ情報を受信するステップは、具体的には、
ユーザ機器によって第１のサブフレームにおける第１のサブバンドリソース上で受信される情報が、ユニキャスト情報を含み、受信される情報が、共通情報を含まないか、又は、
本発明の本実施形態において提供される情報伝送方法は、下記のステップ、
ユーザ機器によって第２のサブフレームにおける第２のサブバンドリソース上で受信される情報が、共通情報を含み、受信される情報が、ユニキャスト情報を含まないことをさらに含んでもよい。
【０１９３】
前述の実施形態における本発明の説明から、共通識別子は、基地局とユーザ機器との間で事前設定されると学習され得る。基地局は、接続状態のユーザ機器を識別してもよい。基地局は、ユーザ機器のために、共通識別子を使用して、ユーザ機器が情報を受信する第１のサブフレームを判定する。次いで、基地局は、第１のサブフレームにおいて、第１のサブバンドリソース上でのみ、情報をユーザ機器に送信する。ユーザ機器は、第１のサブフレームにおいて、第１のサブバンドリソース上でのみ情報を受信してもよい。したがって、ユーザ機器が共通情報又はユニキャスト情報をどのように受信するかについての問題が、解決される。基地局については、基地局が共通情報及びユニキャスト情報を同時に送信するという問題が回避され得るとともに、システムリソースの浪費が回避され得る。
【０１９４】
説明を簡潔にするために、前述の方法の実施形態は一連の動作として表現されていることに留意されたい。しかしながら、本発明によれば、いくつかのステップは他の順序で実行されてもよいか、又は同時に実行されてもよいため、本発明が説明された動作順序に限定されないことを、当業者は理解すべきである。さらに、明細書中で説明された実施形態は全て、実施形態の例であり、関係する動作及びモジュールは必ずしも本発明に不可欠ではないと、当業者は理解すべきである。
【０１９５】
本発明の実施形態における前述の解決策をより良く実装するために、前述の解決策を実装するために使用される関連装置が、下記でさらに提供される。
【０１９６】
図８に示されるように、本発明の実施形態において提供されるユーザ機器８００は、取得モジュール８０１、判定モジュール８０２、及び受信モジュール８０３を含んでもよい。
【０１９７】
取得モジュール８０１は、第１のサブバンドリソース上で情報を受信するように指示するために使用される第１のサブフレーム構成情報を取得するように構成される。
【０１９８】
判定モジュール８０２は、第１のサブフレーム構成情報に従って、第１のサブバンドリソース上で情報を受信するための第１のサブフレームを判定するように構成される。
【０１９９】
受信モジュール８０３は、第１のサブフレームにおいて、第１のサブバンドリソース上でのみ情報を受信するように構成される。
【０２００】
本発明のいくつかの実施形態では、情報は、少なくともユニキャスト情報を含み、その場合、ユニキャスト情報は、ユニキャスト制御情報、及び／又はユニキャストデータ情報を含む。
【０２０１】
或いは、情報は、少なくとも共通情報を含み、その場合、共通情報は、共通制御情報、及び／又は共通データ情報を含む。
【０２０２】
本発明のいくつかの実施形態では、情報は、ユニキャスト情報を含み、情報は、共通情報を含まない。その場合、ユニキャスト情報は、ユニキャスト制御情報、及び／又はユニキャストデータ情報を含み、共通情報は、共通制御情報、及び／又は共通データ情報を含む。
【０２０３】
本発明のいくつかの実施形態では、情報は、共通情報を含み、情報は、ユニキャスト情報を含まない。その場合、共通情報は、共通制御情報、及び／又は共通データ情報を含み、ユニキャスト情報は、ユニキャスト制御情報、及び／又はユニキャストデータ情報を含む。
【０２０４】
本発明のいくつかの実施形態では、判定モジュール８０２は、
第１のサブフレーム構成情報から第１のサブフレーム構成インデックスを取得するように構成される第１の取得サブモジュールと、
事前設定された対応付けに従って、第１のサブフレーム構成インデックスに対応する第１のサブフレーム構成を判定するように構成される第１の判定サブモジュールと、
第１のサブフレーム構成に従って、第１のサブバンドリソース上で情報を受信するための第１のサブフレームを判定するように構成される第２の判定サブモジュールと、を含む。
【０２０５】
本発明のいくつかの実施形態では、第１のサブフレーム構成情報は、下記のコンテンツ、
ユニキャスト情報のためのサブフレーム、ユニキャスト情報のための開始サブフレーム、ユニキャスト情報のためのサブフレーム期間、ユニキャスト情報のための無線フレーム、ユニキャスト情報のための無線フレーム番号、ユニキャスト情報のための無線フレーム期間、ユニキャスト情報によって占有されるサブフレーム量、ユニキャスト情報によって占有される無線フレーム量、ユニキャスト情報によって占有されるシンボル量、又はユニキャスト情報のための開始シンボルのうちの１つ又は複数を含む。
【０２０６】
本発明のいくつかの実施形態では、取得モジュール８０１は、具体的には、事前設定に従って第１のサブフレーム構成情報を取得するか、又は、無線リソース制御シグナリング、メディアアクセス制御シグナリング、若しくは物理レイヤシグナリングのうちの１つ若しくは複数を受信することにより、第１のサブフレーム構成情報を取得するように構成される。
【０２０７】
本発明のいくつかの実施形態では、取得モジュール８０１は、第２のサブバンドリソース上で共通情報を受信するように指示するために使用される第２のサブフレーム構成情報を取得するように、さらに構成され、
判定モジュール８０２は、第２のサブフレーム構成情報に従って、第２のサブバンドリソース上で共通情報を受信するための第２のサブフレームを判定するようにさらに構成され、
受信モジュール８０３は、第２のサブフレームにおいて、第２のサブバンドリソース上でのみ共通情報を受信するようにさらに構成される。
【０２０８】
本発明のいくつかの実施形態では、判定モジュールは、
第２のサブフレーム構成情報から第２のサブフレーム構成インデックスを取得するように構成される第２の取得サブモジュールと、
事前設定された対応付けに従って、第２のサブフレーム構成インデックスに対応する第２のサブフレーム構成を判定するように構成される第３の判定サブモジュールと、
第２のサブフレーム構成に従って、第２のサブバンドリソース上で共通情報を受信するための第２のサブフレームを判定するように構成される第４の判定サブモジュールと、を含む。
【０２０９】
本発明のいくつかの実施形態では、第２のサブフレーム構成情報は、下記のコンテンツ、
共通情報のためのサブフレーム、共通情報のための開始サブフレーム、共通情報のためのサブフレーム期間、共通情報のための無線フレーム、共通情報のための無線フレーム番号、共通情報のための無線フレーム期間、共通情報によって占有されるサブフレーム量、共通情報によって占有される無線フレーム量、共通情報によって占有されるシンボル量、又は共通情報のための開始シンボルのうちの１つ又は複数を含む。
【０２１０】
本発明のいくつかの実施形態では、受信モジュール８０３は、具体的には、第１のサブフレームにおいて、第１のサブバンドリソース上でのみユニキャスト制御情報を受信するように構成され、
判定モジュール８０２は、ユニキャスト制御情報に従って、ユニキャスト制御情報を使用してスケジューリングされるユニキャストデータ情報を伝送するためのサブフレームを判定するようにさらに構成され、
受信モジュール８０３は、ユニキャストデータ情報を伝送するために、判定されたサブフレーム内のユニキャストデータ情報を受信するようにさらに構成される。
【０２１１】
本発明のいくつかの実施形態では、受信モジュール８０３は、具体的には、第１のサブフレームにおいて、第１のサブバンドリソース上でのみ共通制御情報を受信するように構成され、
判定モジュール８０２は、共通制御情報に従って、共通制御情報を使用してスケジューリングされる共通データ情報を伝送するためのサブフレームを判定するようにさらに構成され、
受信モジュール８０３は、共通データ情報を伝送するために、判定されたサブフレーム内の共通データ情報を受信するようにさらに構成される。
【０２１２】
前述の実施形態における本発明の説明から、ユーザ機器は、まず、第１のサブバンドリソース上で情報を受信するように指示するために使用される第１のサブフレーム構成情報を取得すると学習され得る。次いで、ユーザ機器は、第１のサブフレーム構成情報に従って、第１のサブバンドリソース上で情報を受信するための第１のサブフレームを判定する。ユーザ機器は、第１のサブフレームにおいて、第１のサブバンドリソース上でのみ情報を受信する。ユーザ機器は、第１のサブフレーム構成情報に従って、情報を受信するために使用され得る第１のサブフレームを判定してもよく、情報を受信するために必要とされる第１のサブバンドリソースを判定してもよい。ユーザ機器は、第１のサブフレームにおいて、第１のサブバンドリソース上でのみ情報を受信してもよい。低複雑性又は低コストのユーザ機器が同時に２種類の情報を受信することができないという問題は解決され、基地局は、同一サブフレームにおいて２種類の情報を同時に伝送しないようにする必要はない。したがって、システムリソースの浪費が回避され得る。
【０２１３】
図９に示されるように、本発明の実施形態において提供される基地局９００は、第１の判定モジュール９０１、第２の判定モジュール９０２、及び送信モジュール９０３を含んでもよい。
【０２１４】
第１の判定モジュール９０１は、ユーザ機器のために、第１のサブバンドリソース上で情報を伝送するように指示するために使用される第１のサブフレーム構成情報を判定するように構成される。
【０２１５】
第２の判定モジュール９０２は、第１のサブフレーム構成情報に従って、ユーザ機器が第１のサブバンドリソース上で情報を受信する第１のサブフレームを判定するように構成される。
【０２１６】
送信モジュール９０３は、第１のサブフレームにおける第１のサブバンドリソース上で、情報をユーザ機器に送信するように構成される。
【０２１７】
本発明のいくつかの実施形態では、情報は、少なくともユニキャスト情報を含み、その場合、ユニキャスト情報は、ユニキャスト制御情報、及び／又はユニキャストデータ情報を含む。
【０２１８】
或いは、情報は、少なくとも共通情報を含み、その場合、共通情報は、共通制御情報、及び／又は共通データ情報を含む。
【０２１９】
本発明のいくつかの実施形態では、情報は、ユニキャスト情報を含み、情報は、共通情報を含まない。その場合、ユニキャスト情報は、ユニキャスト制御情報、及び／又はユニキャストデータ情報を含み、共通情報は、共通制御情報、及び／又は共通データ情報を含む。
【０２２０】
本発明のいくつかの実施形態では、情報は、共通情報を含み、情報は、ユニキャスト情報を含まない。その場合、共通情報は、共通制御情報、及び／又は共通データ情報を含み、ユニキャスト情報は、ユニキャスト制御情報、及び／又はユニキャストデータ情報を含む。
【０２２１】
本発明のいくつかの実施形態では、第１の判定モジュール９０１は、具体的には、ユーザ機器のために第１のサブフレームを判定し、第１のサブフレームは、ユーザ機器が第１のサブバンドリソース上で情報を受信するサブフレームであり、事前設定された対応付けに従って、第１のサブフレーム構成に対応する第１のサブフレーム構成インデックスを判定し、第１のサブフレーム構成情報を生成し、第１のサブフレーム構成情報が、第１のサブフレーム構成インデックスを含むように構成される。
【０２２２】
本発明のいくつかの実施形態では、送信モジュール９０３は、無線リソース制御シグナリング、メディアアクセス制御シグナリング、又は物理レイヤシグナリングのうちの１つ又は複数を使用して、第１のサブフレーム構成情報をユーザ機器に送信するようにさらに構成される。
【０２２３】
本発明のいくつかの実施形態では、第１の判定モジュール９０１は、ユーザ機器のために、第２のサブバンドリソース上で共通情報を伝送するように指示するために使用される第２のサブフレーム構成情報を判定するようにさらに構成され、
第２の判定モジュールは、第２のサブフレーム構成情報に従って、ユーザ機器が第２のサブバンドリソース上で共通情報を受信する第２のサブフレームを判定するようにさらに構成され、
送信モジュールは、第２のサブフレームにおける第２のサブバンドリソース上で、共通情報をユーザ機器に送信するようにさらに構成される。
【０２２４】
本発明のいくつかの実施形態では、第１の判定モジュール９０１は、具体的には、ユーザ機器のために第２のサブフレームを判定し、第２のサブフレームは、ユーザ機器が第２のサブバンドリソース上で共通情報を受信するサブフレームであり、事前設定された対応付けに従って、第２のサブフレーム構成に対応する第２のサブフレーム構成インデックスを判定し、第２のサブフレーム構成情報を生成し、第２のサブフレーム構成情報が、第２のサブフレーム構成インデックスを含むように構成される。
【０２２５】
本発明のいくつかの実施形態では、送信モジュール９０３は、具体的には、情報優先度を判定し、判定された情報優先度に従って、第１のサブフレームにおける第１のサブバンドリソース上で、最も高い優先度を有する第１の情報を送信して、第１のサブフレームにおける第１のサブバンドリソース上で第２の情報を送信することをスキップし、ここで、第２の情報の優先度が、第１の情報の優先度よりも低い、ように構成される。
【０２２６】
本発明のいくつかの実施形態では、情報は、具体的には、ユニキャスト情報である。送信モジュールは、具体的には、第１のサブフレームにおける第１のサブバンドリソース上で、ユニキャスト制御情報をユーザ機器に送信し、ユニキャストデータ情報を伝送するために使用されるとともに、ユニキャスト制御情報によって示されるサブフレームにおいて、ユニキャストデータ情報をユーザ機器に送信するように構成される。
【０２２７】
前述の実施形態における実施形態の説明から、基地局は、まず、ユーザ機器のために、第１のサブバンドリソース上で情報を伝送するように指示するために使用される第１のサブフレーム構成情報を判定すると学習され得る。次いで、基地局は、ユーザ機器は、第１のサブフレーム構成情報に従って、第１のサブバンドリソース上で情報を送信するための第１のサブフレームを判定する。基地局は、第１のサブフレームにおいて、第１のサブバンドリソース上でのみ情報を送信する。基地局は、第１のサブフレーム構成情報に従って、情報を送信するために使用され得る第１のサブフレームを判定してもよく、情報を送信するために必要とされる第１のサブバンドリソースを判定してもよい。基地局は、第１のサブフレームにおいて、第１のサブバンドリソース上でのみ情報を送信してもよい。低複雑性又は低コストのユーザ機器が同時に２種類の情報を受信することができないという問題は解決され、基地局は、同一サブフレームにおいて２種類の情報を同時に伝送しないようにする必要はない。したがって、システムリソースの浪費が回避され得る。
【０２２８】
図１０に示されるように、本発明の実施形態において提供されるユーザ機器１０００は、判定モジュール１００１、及び受信モジュール１００２を含んでもよい。
【０２２９】
判定モジュール１００１は、情報優先度を判定するように構成される。
【０２３０】
受信モジュール１００２は、判定された情報優先度に従って、第１のサブフレーム内で最も高い優先度を有する第１の情報を受信し、第１のサブフレーム内の第２の情報を受信することをスキップし、ここで、第２の情報の優先度が、第１の情報の優先度よりも低い、ように構成される。
【０２３１】
本発明のいくつかの実施形態では、判定モジュール１００１は、具体的には、情報タイプに従って情報優先度を判定するか、及び／又は、情報伝送のために占有されるサブバンドリソースに従って、サブバンドリソース上で伝送される情報の優先度を判定するように構成される。
【０２３２】
本発明の本実施形態の説明から、情報優先度に従って、第１のサブフレームにおいて、ユーザ機器は、最も高い優先度を有する第１の情報のみを受信し、第１の情報の優先度よりも低い優先度の第２の情報を受信しないと学習され得る。したがって、ユーザ機器がユニキャスト情報又は共通情報をどのように受信するかについての問題が、解決される。ユーザ機器ではブラインド検出が回避され、システムリソースのオーバヘッドは減少し、ユーザ機器の電力消費は減少する。
【０２３３】
図１１に示されるように、本発明の実施形態において提供される基地局１１００は、判定モジュール１１０１、及び送信モジュール１１０２を含んでもよい。
【０２３４】
判定モジュール１１０１は、基地局とユーザ機器との間の共通識別子に従って、ユーザ機器が第１のサブバンドリソース上で情報を受信する第１のサブフレームを判定するように構成される。
【０２３５】
送信モジュール１１０２は、第１のサブフレームにおいて、第１のサブバンドリソース上でのみ、情報をユーザ機器に送信するように構成される。
【０２３６】
本発明のいくつかの実施形態では、情報は、ユニキャスト情報を含み、情報は、共通情報を含まないか、又は、情報は、共通情報を含み、情報は、ユニキャスト情報を含まない。その場合、ユニキャスト情報は、ユニキャスト制御情報、及び／又はユニキャストデータ情報を含み、共通情報は、共通制御情報、及び／又は共通データ情報を含む。
【０２３７】
本発明のいくつかの実施形態では、判定モジュール１１０１は、基地局とユーザ機器との間の共通識別子に従って、ユーザ機器が第２のサブバンドリソース上で共通情報を受信する第２のサブフレームを判定するようにさらに構成され、
送信モジュール１１０２は、第２のサブフレームにおいて、第２のサブバンドリソース上でのみ、共通情報をユーザ機器に送信するようにさらに構成される。
【０２３８】
本発明のいくつかの実施形態では、送信モジュール１１０２によって第１のサブフレームにおける第１のサブバンドリソース上でユーザ機器に送信される情報は、ユニキャスト情報を含み、送信される情報は、共通情報を含まないか、又は、
送信モジュール１１０２によって第１のサブフレームにおける第１のサブバンドリソース上でユーザ機器に送信される情報は、共通情報を含み、送信される情報は、ユニキャスト情報を含まない。
【０２３９】
前述の実施形態における本発明の説明から、共通識別子は、基地局とユーザ機器との間で事前設定されると学習され得る。基地局は、接続状態のユーザ機器を識別してもよい。基地局は、ユーザ機器のために、共通識別子を使用して、ユーザ機器が情報を受信する第１のサブフレームを判定する。次いで、基地局は、第１のサブフレームにおいて、第１のサブバンドリソース上でのみ、情報をユーザ機器に送信する。したがって、基地局が共通情報及びユニキャスト情報を同時に送信するという問題が回避され得るとともに、システムリソースの浪費が回避され得る。
【０２４０】
図１２に示されるように、本発明の実施形態において提供されるユーザ機器１２００は、判定モジュール１２０１、及び受信モジュール１２０２を含んでもよい。
【０２４１】
判定モジュール１２０１は、ユーザ機器と基地局との間の共通識別子に従って、ユーザ機器が第１のサブバンドリソース上で情報を受信する第１のサブフレームを判定するように構成される。
【０２４２】
受信モジュール１２０２は、第１のサブフレームにおいて、第１のサブバンドリソース上でのみ情報を受信するように構成される。
【０２４３】
本発明のいくつかの実施形態では、情報は、ユニキャスト情報を含み、情報は、共通情報を含まないか、又は、情報は、共通情報を含み、情報は、ユニキャスト情報を含まない。その場合、ユニキャスト情報は、ユニキャスト制御情報、及び／又はユニキャストデータ情報を含み、共通情報は、共通制御情報、及び／又は共通データ情報を含む。
【０２４４】
本発明のいくつかの実施形態では、判定モジュール１２０１は、ユーザ機器と基地局との間の共通識別子に従って、ユーザ機器が第２のサブバンドリソース上で共通情報を受信する第２のサブフレームを判定するようにさらに構成される。
【０２４５】
受信モジュール１２０２は、第２のサブフレームにおいて、第２のサブバンドリソース上でのみ共通情報を受信するようにさらに構成される。
【０２４６】
本発明のいくつかの実施形態では、受信モジュール１２０２によって第１のサブフレームにおける第１のサブバンドリソース上で受信される情報は、ユニキャスト情報を含み、受信される情報は、共通情報を含まないか、又は、
受信モジュール１２０２によって第２のサブフレームにおける第２のサブバンドリソース上で受信される情報は、共通情報を含み、受信される情報は、ユニキャスト情報を含まない。
【０２４７】
前述の実施形態における本発明の説明から、共通識別子は、基地局とユーザ機器との間で事前設定されると学習され得る。基地局は、接続状態のユーザ機器を識別してもよい。基地局は、ユーザ機器のために、共通識別子を使用して、ユーザ機器が情報を受信する第１のサブフレームを判定する。次いで、基地局は、第１のサブフレームにおいて、第１のサブバンドリソース上でのみ、情報をユーザ機器に送信する。ユーザ機器は、第１のサブフレームにおいて、第１のサブバンドリソース上でのみ情報を受信してもよい。したがって、ユーザ機器が共通情報又はユニキャスト情報をどのように受信するかについての問題が、解決される。基地局については、基地局が共通情報及びユニキャスト情報を同時に送信するという問題が回避され得るとともに、システムリソースの浪費が回避され得る。
【０２４８】
本発明の実施形態は、コンピュータ記憶媒体をさらに提供する。コンピュータ記憶媒体は、プログラムを記憶し、プログラムは、前述した方法の実施形態において記録される、いくつかの又は全てのステップを実行する。
【０２４９】
下記は、本発明の実施形態において提供される別のユーザ機器を説明する。図１３に示されるように、ユーザ機器１３００は、
入力装置１３０１、出力装置１３０２、プロセッサ１３０３、及びメモリ１３０４（ユーザ機器１３００内に１つ又は複数のプロセッサ１３０３があってもよく、図１３では、１つのプロセッサが一例として使用される）を含む。本発明のいくつかの実施形態では、入力装置１３０１、出力装置１３０２、プロセッサ１３０３、及びメモリ１３０４は、バスを使用して、又は別の方法で互いに接続されてもよく、例えば、図１３におけるバスを使用して互いに接続されてもよい。
【０２５０】
プロセッサ１３０３は、下記のステップ、
第１のサブバンドリソース上で情報を受信するように指示するために使用される第１のサブフレーム構成情報を取得するステップと、
第１のサブフレーム構成情報に従って、第１のサブバンドリソース上で情報を受信するための第１のサブフレームを判定するステップと、
第１のサブフレームにおいて、第１のサブバンドリソース上でのみ情報を受信するステップと、を実行するように構成される。
【０２５１】
本発明のいくつかの実施形態では、メモリ１３０４に記憶される情報は、少なくともユニキャスト情報を含み、その場合、ユニキャスト情報は、ユニキャスト制御情報、及び／又はユニキャストデータ情報を含む。或いは、情報は、少なくとも共通情報を含み、その場合、共通情報は、共通制御情報、及び／又は共通データ情報を含む。
【０２５２】
本発明のいくつかの実施形態では、メモリ１３０４に記憶される情報は、ユニキャスト情報を含み、情報は、共通情報を含まない。その場合、ユニキャスト情報は、ユニキャスト制御情報、及び／又はユニキャストデータ情報を含み、共通情報は、共通制御情報、及び／又は共通データ情報を含む。
【０２５３】
本発明のいくつかの実施形態では、メモリ１３０４に記憶される情報は、共通情報を含み、情報は、ユニキャスト情報を含まない。その場合、共通情報は、共通制御情報、及び／又は共通データ情報を含み、ユニキャスト情報は、ユニキャスト制御情報、及び／又はユニキャストデータ情報を含む。
【０２５４】
本発明のいくつかの実施形態では、プロセッサ１３０３は、具体的には、下記のステップ、
第１のサブフレーム構成情報から第１のサブフレーム構成インデックスを取得するステップと、
事前設定された対応付けに従って、第１のサブフレーム構成インデックスに対応する第１のサブフレーム構成を判定するステップと、
第１のサブフレーム構成に従って、第１のサブバンドリソース上で情報を受信するための第１のサブフレームを判定するステップと、を実行するように構成される。
【０２５５】
本発明のいくつかの実施形態では、メモリ１３０４に記憶される第１のサブフレーム構成情報は、下記のコンテンツ、
ユニキャスト情報のためのサブフレーム、ユニキャスト情報のための開始サブフレーム、ユニキャスト情報のためのサブフレーム期間、ユニキャスト情報のための無線フレーム、ユニキャスト情報のための無線フレーム番号、ユニキャスト情報のための無線フレーム期間、ユニキャスト情報によって占有されるサブフレーム量、ユニキャスト情報によって占有される無線フレーム量、ユニキャスト情報によって占有されるシンボル量、又はユニキャスト情報のための開始シンボルのうちの１つ又は複数を含む。
【０２５６】
本発明のいくつかの実施形態では、プロセッサ１３０３は、具体的には、下記のステップ、
事前設定に従って第１のサブフレーム構成情報を取得するステップか、又は
無線リソース制御シグナリング、メディアアクセス制御シグナリング、又は物理レイヤシグナリングのうちの１つ又は複数を受信することにより、第１のサブフレーム構成情報を取得するステップを実行するように構成される。
【０２５７】
本発明のいくつかの実施形態では、プロセッサ１３０３は、下記のステップ、
第２のサブバンドリソース上の共通情報を受信するように指示するために使用される第２のサブフレーム構成情報を取得するステップと、
第２のサブフレーム構成情報に従って、第２のサブバンドリソース上で共通情報を受信するための第２のサブフレームを判定するステップと、
第２のサブフレームにおいて、第２のサブバンドリソース上でのみ共通情報を受信するステップと、を実行するようにさらに構成される。
【０２５８】
本発明のいくつかの実施形態では、プロセッサ１３０３は、具体的には、下記のステップ、
第２のサブフレーム構成情報から第２のサブフレーム構成インデックスを取得するステップと、
事前設定された対応付けに従って、第２のサブフレーム構成インデックスに対応する第２のサブフレーム構成を判定するステップと、
第２のサブモジュール構成に従って、第２のサブバンドリソース上で共通情報を受信するための第２のサブフレームを判定するステップと、を実行するように構成される。
【０２５９】
本発明のいくつかの実施形態では、メモリ１３０４に記憶される第２のサブフレーム構成情報は、下記のコンテンツ、
共通情報のためのサブフレーム、共通情報のための開始サブフレーム、共通情報のためのサブフレーム期間、共通情報のための無線フレーム、共通情報のための無線フレーム番号、共通情報のための無線フレーム期間、共通情報によって占有されるサブフレーム量、共通情報によって占有される無線フレーム量、共通情報によって占有されるシンボル量、又は共通情報のための開始シンボルのうちの１つ又は複数を含む。
【０２６０】
本発明のいくつかの実施形態では、プロセッサ１３０３は、具体的には、下記のステップ、
第１のサブフレームにおいて、第１のサブバンドリソース上でのみユニキャスト制御情報を受信するステップを実行するように構成される。
【０２６１】
プロセッサ１３０３は、下記のステップ、
ユニキャスト制御情報に従って、ユニキャスト制御情報を使用してスケジューリングされるユニキャストデータ情報を伝送するためのサブフレームを判定するステップと、
ユニキャストデータ情報を伝送するために、判定されたサブフレーム内のユニキャストデータ情報を受信するステップと、を実行するようにさらに構成される。
【０２６２】
本発明のいくつかの実施形態では、プロセッサ１３０３は、具体的には、下記のステップ、
第１のサブフレームにおいて、第１のサブバンドリソース上でのみ共通制御情報を受信するステップを実行するように構成される。
【０２６３】
プロセッサ１３０３は、下記のステップ、
共通制御情報に従って、共通制御情報を使用してスケジューリングされる共通データ情報を伝送するためのサブフレームを判定するステップと、
共通データ情報を伝送するために、判定されたサブフレーム内の共通データ情報を受信するステップと、を実行するようにさらに構成される。
【０２６４】
下記は、本発明の実施形態において提供される別のユーザ機器を説明する。図１３に示されるように、ユーザ機器１３００は、
入力装置１３０１、出力装置１３０２、プロセッサ１３０３、及びメモリ１３０４（ユーザ機器１３００内に１つ又は複数のプロセッサ１３０３があってもよく、図１３では、１つのプロセッサが一例として使用される）を含む。本発明のいくつかの実施形態では、入力装置１３０１、出力装置１３０２、プロセッサ１３０３、及びメモリ１３０４は、バスを使用して、又は別の方法で互いに接続されてもよく、例えば、図１３におけるバスを使用して互いに接続されてもよい。
【０２６５】
プロセッサ１３０３は、下記のステップ、
情報優先度を判定するステップと、
判定された情報優先度に従って、第１のサブフレーム内で最も高い優先度を有する第１の情報を受信し、第１のサブフレーム内の第２の情報を受信することをスキップするステップであって、第２の情報の優先度が、第１の情報の優先度よりも低い、ステップと、を実行するように構成される。
【０２６６】
本発明のいくつかの実施形態では、プロセッサ１３０３は、具体的には、下記のステップ、
情報タイプに従って情報優先度を判定するステップ、及び／又は、
情報伝送のために占有されるサブバンドリソースに従って、サブバンドリソース上で伝送される情報の優先度を判定するステップを実行するように構成される。
【０２６７】
下記は、本発明の実施形態において提供される別のユーザ機器を説明する。図１３に示されるように、ユーザ機器１３００は、
入力装置１３０１、出力装置１３０２、プロセッサ１３０３、及びメモリ１３０４（ユーザ機器１３００内に１つ又は複数のプロセッサ１３０３があってもよく、図１３では、１つのプロセッサが一例として使用される）を含む。本発明のいくつかの実施形態では、入力装置１３０１、出力装置１３０２、プロセッサ１３０３、及びメモリ１３０４は、バスを使用して、又は別の方法で互いに接続されてもよく、例えば、図１３におけるバスを使用して互いに接続されてもよい。
【０２６８】
プロセッサ１３０３は、下記のステップ、
ユーザ機器と基地局との間の共通識別子に従って、ユーザ機器が第１のサブバンドリソース上で情報を受信する第１のサブフレームを判定するステップと、
第１のサブフレームにおいて、第１のサブバンドリソース上でのみ情報を受信するステップと、を実行するように構成される。
【０２６９】
本発明のいくつかの実施形態では、メモリ１３０４に記憶される情報は、ユニキャスト情報を含み、情報は、共通情報を含まないか、又は、情報は、共通情報を含み、情報は、ユニキャスト情報を含まない。その場合、ユニキャスト情報は、ユニキャスト制御情報、及び／又はユニキャストデータ情報を含み、共通情報は、共通制御情報、及び／又は共通データ情報を含む。
【０２７０】
本発明のいくつかの実施形態では、プロセッサ１３０３は、下記のステップ、
ユーザ機器と基地局との間の共通識別子に従って、ユーザ機器が第２のサブバンドリソース上の共通情報を受信する第２のサブフレームを判定するステップと、
第２のサブフレームにおいて、第２のサブバンドリソース上でのみ共通情報を受信するステップと、を実行するようにさらに構成される。
【０２７１】
本発明のいくつかの実施形態では、
第１のサブフレームにおける第１のサブバンドリソース上で受信される情報は、ユニキャスト情報を含み、受信される情報は、共通情報を含まない。
【０２７２】
或いは、本発明のいくつかの実施形態では、
第２のサブフレームにおける第２のサブバンドリソース上で受信される情報は、共通情報を含み、受信される情報は、ユニキャスト情報を含まない。
【０２７３】
下記は、本発明の実施形態において提供される別の基地局を説明する。図１４に示されるように、基地局１４００は、
入力装置１４０１、出力装置１４０２、プロセッサ１４０３、及びメモリ１４０４（基地局１４００内に１つ又は複数のプロセッサ１４０３があってもよく、図１４では、１つのプロセッサが一例として使用される）を含む。本発明のいくつかの実施形態では、入力装置１４０１、出力装置１４０２、プロセッサ１４０３、及びメモリ１４０４は、バスを使用して、又は別の方法で互いに接続されてもよく、例えば、図１４におけるバスを使用して互いに接続されてもよい。
【０２７４】
プロセッサ１４０３は、下記のステップ、
ユーザ機器のために、第１のサブバンドリソース上で情報を伝送するように指示するために使用される第１のサブフレーム構成情報を判定するステップと、
第１のサブフレーム構成情報に従って、ユーザ機器が第１のサブバンドリソース上で情報を受信する第１のサブフレームを判定するステップと、
第１のサブフレームにおける第１のサブバンドリソース上で、情報をユーザ機器に送信するステップと、を実行するように構成される。
【０２７５】
本発明のいくつかの実施形態では、メモリ１４０４に記憶される情報は、少なくともユニキャスト情報を含み、その場合、ユニキャスト情報は、ユニキャスト制御情報、及び／又はユニキャストデータ情報を含む。
【０２７６】
或いは、情報は、少なくとも共通情報を含み、その場合、共通情報は、共通制御情報、及び／又は共通データ情報を含む。
【０２７７】
本発明のいくつかの実施形態では、メモリ１４０４に記憶される情報は、ユニキャスト情報を含み、情報は、共通情報を含まない。その場合、ユニキャスト情報は、ユニキャスト制御情報、及び／又はユニキャストデータ情報を含み、共通情報は、共通制御情報、及び／又は共通データ情報を含む。
【０２７８】
本発明のいくつかの実施形態では、メモリ１４０４に記憶される情報は、共通情報を含み、情報は、ユニキャスト情報を含まない。その場合、共通情報は、共通制御情報、及び／又は共通データ情報を含み、ユニキャスト情報は、ユニキャスト制御情報、及び／又はユニキャストデータ情報を含む。
【０２７９】
本発明のいくつかの実施形態では、プロセッサ１４０３は、具体的には、下記のステップ、
ユーザ機器のために第１のサブフレームを判定するステップであって、第１のサブフレームは、ユーザ機器が第１のサブバンドリソース上の情報を受信するサブフレームである、ステップと、
事前設定された対応付けに従って、第１のサブフレーム構成に対応する第１のサブフレーム構成インデックスを判定するステップと、
第１のサブフレーム構成情報を生成するステップであって、第１のサブフレーム構成情報が、第１のサブフレーム構成インデックスを含む、ステップと、を実行するように構成される。
【０２８０】
本発明のいくつかの実施形態では、プロセッサ１４０３は、下記のステップ、
無線リソース制御シグナリング、メディアアクセス制御シグナリング、又は物理レイヤシグナリングのうちの１つ又は複数を使用して、第１のサブフレーム構成情報をユーザ機器に送信するステップを実行するようにさらに構成される。
【０２８１】
本発明のいくつかの実施形態では、プロセッサ１４０３は、下記のステップ、
ユーザ機器のために、第２のサブバンドリソース上で共通情報を伝送するように指示するために使用される第２のサブフレーム構成情報を判定するステップと、
第２のサブフレーム構成情報に従って、ユーザ機器が第２のサブバンドリソース上で共通情報を受信する第２のサブフレームを判定するステップと、
第２のサブフレームにおける第２のサブバンドリソース上で、共通情報をユーザ機器に送信するステップと、を実行するようにさらに構成される。
【０２８２】
本発明のいくつかの実施形態では、プロセッサ１４０３は、下記のステップ、
ユーザ機器のために第２のサブフレームを判定するステップであって、第２のサブフレームは、ユーザ機器が第２のサブバンドリソース上で共通情報を受信するサブフレームである、ステップと、
事前設定された対応付けに従って、第２のサブフレーム構成に対応する第２のサブフレーム構成インデックスを判定するステップと、
第２のサブフレーム構成情報を生成するステップであって、第２のサブフレーム構成情報が、第２のサブフレーム構成インデックスを含む、ステップと、を実行するようにさらに構成される。
【０２８３】
本発明のいくつかの実施形態では、プロセッサ１４０３は、具体的には、下記のステップ、
情報優先度を判定するステップと、
判定された情報優先度に従って、第１のサブフレームにおける第１のサブバンドリソース上で、最も高い優先度を有する第１の情報を送信して、第１のサブフレームにおける第１のサブバンドリソース上で第２の情報を送信することをスキップするステップであって、第２の情報の優先度が、第１の情報の優先度よりも低い、ステップと、を実行するように構成される。
【０２８４】
情報は、具体的にはユニキャスト情報であり、本発明のいくつかの実施形態では、プロセッサ１４０３は、具体的には、下記のステップ、
第１のサブフレームにおける第１のサブバンドリソース上で、ユニキャスト制御情報をユーザ機器に送信するステップと、
ユニキャストデータ情報を伝送するために使用されるとともに、ユニキャスト制御情報によって示されるサブフレームにおいて、ユニキャストデータ情報をユーザ機器に送信し続けるステップと、を実行するように構成される。
【０２８５】
下記は、本発明の実施形態において提供される別の基地局を説明する。図１４に示されるように、基地局１４００は、
入力装置１４０１、出力装置１４０２、プロセッサ１４０３、及びメモリ１４０４（基地局１４００内に１つ又は複数のプロセッサ１４０３があってもよく、図１４では、１つのプロセッサが一例として使用される）を含む。本発明のいくつかの実施形態では、入力装置１４０１、出力装置１４０２、プロセッサ１４０３、及びメモリ１４０４は、バスを使用して、又は別の方法で互いに接続されてもよく、例えば、図１４におけるバスを使用して互いに接続されてもよい。
【０２８６】
プロセッサ１４０３は、下記のステップ、
基地局とユーザ機器との間の共通識別子に従って、ユーザ機器が第１のサブバンドリソース上で情報を受信する第１のサブフレームを判定するステップと、
第１のサブフレームにおいて、第１のサブバンドリソース上でのみ、情報をユーザ機器に送信するステップと、を実行するように構成される。
【０２８７】
本発明のいくつかの実施形態では、メモリ１４０４に記憶される情報は、ユニキャスト情報を含み、情報は、共通情報を含まないか、又は、情報は、共通情報を含み、情報は、ユニキャスト情報を含まない。その場合、ユニキャスト情報は、ユニキャスト制御情報、及び／又はユニキャストデータ情報を含み、共通情報は、共通制御情報、及び／又は共通データ情報を含む。
【０２８８】
本発明のいくつかの実施形態では、プロセッサ１４０３は、具体的には、下記のステップ、
基地局とユーザ機器との間の共通識別子に従って、ユーザ機器が第２のサブバンドリソース上で共通情報を受信する第２のサブフレームを判定するステップと、
第２のサブフレームにおいて、第２のサブバンドリソース上でのみ、共通情報をユーザ機器に送信するステップと、を実行するように構成される。
【０２８９】
本発明のいくつかの実施形態では、
第１のサブフレームにおける第１のサブバンドリソース上でユーザ機器に送信される情報は、ユニキャスト情報を含み、送信される情報は、共通情報を含まないことを実行するように構成される。
【０２９０】
或いは、本発明のいくつかの実施形態では、第１のサブフレームにおける第１のサブバンドリソース上でユーザ機器に送信される情報は、共通情報を含み、送信される情報は、ユニキャスト情報を含まない。
【０２９１】
さらに、説明された装置の実施形態は、単なる例であることに留意されたい。別々の部品として説明されたユニットは、物理的に別々であってもなくてもよい。ユニットとして表示された部品は、物理的なユニットであってもなくてもよく、１つの場所に位置していてもよいか、又は複数のネットワークユニットに分散されてもよい。モジュールのうちのいくつか又は全ては、実施形態の解決策の目的を達成するための実際の必要性に従って選択されてもよい。さらに、本発明によって提供される装置の実施形態の添付図面において、モジュール間の接続関係は、モジュールが互いに通信接続を有することを示しており、通信接続は、具体的には、１つ又は複数の通信バス又は信号ケーブルとして実装されてもよい。当業者は、本発明の実施形態を創造的な努力なしに理解するとともに、実装し得る。
【０２９２】
前述の実装方法の説明に基づいて、当業者は、本発明が、必要な汎用ハードウェアに加えたソフトウェアによって、又は専用集積回路、専用ＣＰＵ、専用メモリ、専用コンポーネントなどを含む専用ハードウェアによって、実装され得ることを明確に理解し得る。概して、コンピュータプログラムによって実行され得る任意の機能は、対応するハードウェアを使用して、容易に実装され得る。さらに、同一の機能を実現するために使用される特定のハードウェア構造は、様々な形態のものであってもよく、例えば、アナログ回路、デジタル回路、専用回路などの形態であってもよい。しかしながら、本発明については、ソフトウェアプログラム実装が、ほとんどの場合においてより良い実装方法である。そのような理解に基づいて、先行技術に本質的に又は部分的に寄与する、本発明の技術的解決策は、ソフトウェア製品の形態で実装されてもよい。コンピュータソフトウェア製品は、コンピュータの、フロッピーディスク、ＵＳＢフラッシュドライブ、リムーバブルハードディスク、読み取り専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、又は光ディスクなどの可読記憶媒体に記憶され、コンピュータデバイス（パーソナルコンピュータ、サーバ、ネットワークデバイスなどであってもよい）に、本発明の実施形態で説明された方法を実行するように指示するためのいくつかの命令を含む。
【０２９３】
結論として、前述の実施形態は、本発明を限定することが意図されるものではなく、単に本発明の技術的解決策を説明することが意図されるものである。本発明は、前述の実施形態を参照して詳細に説明されているが、当業者は、本発明の実施形態の技術的解決策の範囲から逸脱することなく、前述の実施形態に記録された技術的解決策に対してさらに修正を行うか、又はそれらの一部の技術的特徴に対して同等な置換を行うことができる、ということを理解すべきである。
【図１】
0006554173.tif 000002
【図２】
0006554173.tif 000003
【図３】
0006554173.tif 000004
【図４】
0006554173.tif 000005
【図５】
0006554173.tif 000006
【図６】
0006554173.tif 000007
【図７】
0006554173.tif 000008
【図８】
0006554173.tif 000009
【図９】
0006554173.tif 000010
【図１０】
0006554173.tif 000011
【図１１】
0006554173.tif 000012
【図１２】
0006554173.tif 000013
【図１３】
0006554173.tif 000014
【図１４】
0006554173.tif 000015